(57)【特許請求の範囲】
【請求項１】
画像を表示するための装置であって、
電気機械システムディスプレイデバイスのアレイを含むディスプレイアセンブリと、
第１の信号を与えるように構成され、前記ディスプレイアセンブリの平面に対する第１の角度を有するセンサ平面内に配向された、センサと、
プロセッサであって、
前記ディスプレイアセンブリおよび前記センサと通信することと、前記第１の信号を受信することと、
前記第１の信号によって示される前記ディスプレイアセンブリに直交する線に対する照明角を決定することと、
前記決定された照明角に対して前記画像を補償するために画像データを処理することとを行うように構成された、プロセッサと、
を備える、装置。
【請求項２】
前記プロセッサが、前記電気機械システムディスプレイデバイスのうちの第１の１つから反射された光の波長の変化に対して前記画像を補償するために前記画像データを処理するようにさらに構成され、前記波長の変化が前記決定された照明角に起因する、請求項１に記載の装置。
【請求項３】
前記センサが、
複数のフォトセンサと、
レンズと、を含む、請求項１に記載の装置。
【請求項４】
前記複数のフォトセンサがフォトセンサのアレイとして配列され、前記フォトセンサのアレイが、電荷結合デバイスアレイおよび相補型金属酸化膜半導体アレイのうちの少なくとも一方を含む、請求項３に記載の装置。
【請求項５】
前記ディスプレイアセンブリを約７０％〜９０％覆うヘイズを作成するように構成された拡散器をさらに備える、請求項１に記載の装置。
【請求項６】
第２の信号を与えるように構成され、前記ディスプレイアセンブリの前記平面に対する第２の角度を有するカメラ平面内に配向された、カメラデバイスをさらに備え、前記プロセッサが、
前記第２の信号を受信することと、
前記第２の信号によって示される前記ディスプレイアセンブリに直交する前記線に対する視認角を決定することと、
前記決定された視認角に対して前記画像を補償するために前記画像データを処理することと、を行うようにさらに構成される、請求項１に記載の装置。
【請求項７】
前記プロセッサが、前記電気機械システムディスプレイデバイスのうちの第１の１つから反射された光の波長の変化に対して前記画像を補償するために前記画像データを処理するようにさらに構成され、前記波長の変化が前記決定された視認角に起因する、請求項６に記載の装置。
【請求項８】
前記プロセッサと通信するように構成されたメモリデバイスと、
少なくとも１つの第２の信号を前記ディスプレイアセンブリに送信するように構成されたドライバ回路と、
前記画像データの少なくとも一部を前記ドライバ回路に送信するように構成されたコントローラと、をさらに備える、請求項１に記載の装置。
【請求項９】
前記画像データを前記プロセッサに送信するように構成された画像ソースモジュールをさらに備える、請求項１に記載の装置。
【請求項１０】
前記画像ソースモジュールが、受信機と、トランシーバと、送信機とのうちの少なくとも１つを含む、請求項９に記載の装置。
【請求項１１】
入力データを受信し、前記入力データを前記プロセッサに伝達するように構成された入力デバイスをさらに備える、請求項１に記載の装置。
【請求項１２】
（ａ）電気機械システムディスプレイデバイスのアレイを含むディスプレイアセンブリに直交する線に対する、照明角または視認角のうちの少なくとも一方を決定するステップと、
（ｂ）前記決定された照明角または視認角のうちの前記少なくとも一方がゼロでない場合、前記決定された照明角および／または視認角に少なくとも部分的に基づいて、前記ディスプレイアセンブリの前記電気機械システムディスプレイデバイスのうちの少なくとも１つの中に光学ギャップを設定するステップと、を含み、前記光学ギャップが、前記決定された照明角または視認角のうちの前記少なくとも一方を補償するために設定される、方法。
【請求項１３】
前記設定するプロセスが、前記第１の電気機械システムディスプレイデバイスから反射された光の波長の変化を補償するように前記光学ギャップを設定するステップを伴い、前記変化が前記照明角または前記視認角のうちの少なくとも一方によって引き起こされる、請求項１２に記載の方法。
【請求項１４】
前記照明角または視認角における１つまたは複数の高い周波数の変化を除去するために、前記決定された照明角または視認角のうちの前記少なくとも一方を示す信号をフィルタリングするステップをさらに含み、前記照明角または視認角が前記信号を使用して決定される、請求項１２に記載の方法。
【請求項１５】
前記照明角または視認角のうちの前記少なくとも一方を示す信号をカメラデバイスおよびセンサのうちの少なくとも一方から受信するステップをさらに含み、前記カメラデバイスおよび前記センサのうちの前記少なくとも一方が、前記ディスプレイアセンブリの平面に対する第２の角度を有する平面内に配向され、前記照明角または視認角のうちの前記少なくとも一方が前記信号を使用して決定される、請求項１２に記載の方法。
【請求項１６】
前記ディスプレイアセンブリに直交する前記線に対する照明角と視認角の両方を決定するステップをさらに含み、動作（ｂ）が、前記決定された照明角と前記決定された視認角の両方に少なくとも部分的に基づいて、前記第１の電気機械システムディスプレイデバイス内の前記光学ギャップを設定するステップをさらに含む、請求項１２に記載の方法。
【請求項１７】
ディスプレイアセンブリを含む装置を制御するためのプログラム命令を含む非一時的コンピュータ機械可読媒体であって、前記プログラム命令が、
（ａ）電気機械システムディスプレイデバイスのアレイを含むディスプレイアセンブリに直交する線に対する、照明角または視認角のうちの少なくとも一方を決定するステップと、
（ｂ）前記決定された照明角または視認角のうちの前記少なくとも一方がゼロでない場合、前記決定された照明角および／または視認角に少なくとも部分的に基づいて、前記ディスプレイアセンブリの前記電気機械システムディスプレイデバイスのうちの少なくとも１つの中に光学ギャップを設定するステップと、を含む動作のためのコードを含み、前記光学ギャップが、前記決定された照明角または視認角のうちの少なくとも一方を補償するように設定される、非一時的コンピュータ機械可読媒体。
【請求項１８】
前記設定するプロセスが、前記第１の電気機械システムディスプレイデバイスから反射された光の波長の変化を補償するように前記光学ギャップを設定するステップを伴い、前記変化が前記照明角または前記視認角のうちの少なくとも一方によって引き起こされる、請求項１７に記載の媒体。
【発明の詳細な説明】
【技術分野】
【０００１】
優先権の主張
本出願は、参照により本明細書に組み込まれている、２０１２年１１月１３日に出願された「ＲＥＡＬ−ＴＩＭＥ  ＣＯＭＰＥＮＳＡＴＩＯＮ  ＦＯＲ  ＢＬＵＥ  ＳＨＩＦＴ  ＯＦ  ＥＬＥＣＴＲＯＭＥＣＨＡＮＩＣＡＬ  ＳＹＳＴＥＭＳ  ＤＩＳＰＬＡＹ  ＤＥＶＩＣＥＳ」と題する米国特許出願第１３／６７５，７３９号（代理人整理番号第ＱＵＡＬＰ１４６／１２１０８７号）の優先権を主張する。
【０００２】
本開示は、一般に、電気機械システム（ＥＭＳ）ディスプレイデバイスに関し、より詳細には、ＥＭＳディスプレイデバイスのブルーシフトに対する補償に関する。
【背景技術】
【０００３】
電気機械システム（ＥＭＳ）は、電気的および機械的な要素と、アクチュエータと、トランスデューサと、センサと、光学的構成要素（ミラーおよび光学フイルム層など）と、電子回路とを有するデバイスを含む。電気機械システムは、限定はしないが、マイクロスケールおよびナノスケールを含む、様々なスケールで製造され得る。たとえば、マイクロ電気機械システム（ＭＥＭＳ：ｍｉｃｒｏｅｌｅｃｔｒｏｍｅｃｈａｎｉｃａｌ  ｓｙｓｔｅｍ）デバイスは、約１ミクロンから数百ミクロン以上に及ぶサイズを有する構造を含むことができる。ナノ電気機械システム（ＮＥＭＳ：ｎａｎｏｅｌｅｃｔｒｏｍｅｃｈａｎｉｃａｌ  ｓｙｓｔｅｍ）デバイスは、たとえば、数百ナノメートルよりも小さいサイズを含む、１ミクロンよりも小さいサイズを有する構造を含むことができる。電気および電気機械デバイスを形成するために、堆積、エッチング、リソグラフィを使用して、ならびに／あるいは、基板および／または堆積された材料層の部分をエッチング除去するかまたは層を追加する、他の微細加工プロセスを使用して、電気機械要素が作成され得る。
【０００４】
１つのタイプの電気機械システムデバイスは干渉変調器（ＩＭＯＤ：ｉｎｔｅｒｆｅｒｏｍｅｔｒｉｃ  ｍｏｄｕｌａｔｏｒ）と呼ばれる。本明細書で使用する干渉変調器または干渉光変調器という用語は、光学干渉の原理を使用して光を選択的に吸収および／または反射するデバイスを指す。いくつかの実施態様では、干渉変調器は伝導性プレートのペアを含み得、そのペアの一方または両方は、全体的にまたは部分的に、透明でおよび／または反射性であり、適切な電気信号の印加時の相対運動が可能であり得る。一実施態様では、一方のプレートは、基板上に堆積された固定層を含み得、他方のプレートは、エアギャップによって固定層から分離された反射膜を含み得る。別のプレートに対するあるプレートの位置は、干渉変調器に入射する光の光学干渉を変化させることがある。干渉変調器デバイスは、広範囲の適用例を有しており、特にディスプレイ能力がある製品の場合、既存の製品を改善し、新しい製品を作成する際に使用されることが予期される。
【０００５】
様々なディスプレイデバイス上に表示される画像は、照明条件および視認条件（ｖｉｅｗｉｎｇ  ｃｏｎｄｉｔｉｏｎ）の影響を受けることがある。多数の使用条件にわたって画像の色を不変に表示することができるディスプレイデバイスが必要とされている。
【発明の概要】
【課題を解決するための手段】
【０００６】
本開示のシステム、方法およびデバイスは、それぞれいくつかの発明的態様を有し、それらのうちの単一の態様が、単独で、本明細書で開示する望ましい属性を担当するとは限らない。
【０００７】
本開示で説明する主題の１つの発明的態様は、画像を表示するための装置内に実装され得る。装置は、電気機械システムディスプレイデバイスのアレイと、センサと、プロセッサとを含むディスプレイアセンブリを含み得る。センサは、ディスプレイアセンブリの平面に対して第１の角度を有するセンサ平面内に配向され得る。センサは、第１の信号を与えるように構成され得る。プロセッサは、ディスプレイアセンブリおよびセンサと通信するように構成され得る。プロセッサは、第１の信号を受信することと、第１の信号によって示された照明角を決定することと、決定された照明角に対して画像を補償するために画像データを処理することとを行うように構成され得る。照明角は、たとえば、ディスプレイアセンブリに対して、またはディスプレイアセンブリに直交する線に対して決定され得る。装置は、ディスプレイアセンブリを約７０％〜９０％覆うヘイズを作成するように構成された拡散器を含み得る。
【０００８】
プロセッサは、電気機械システムディスプレイデバイスのうちの第１の１つから反射された光の波長の変化に対して画像を補償するために画像データを処理するようにさらに構成され得る。波長の変化は、決定された照明角によってもたらされ得る。
【０００９】
センサは、複数のフォトセンサとレンズとを含み得る。複数のフォトセンサは、電荷結合デバイスアレイおよび／または相補型金属酸化膜半導体アレイを含むフォトセンサのアレイとして配列され得る。
【００１０】
ディスプレイアセンブリはカメラデバイスを含み得る。カメラデバイスは、ディスプレイアセンブリの平面に対して第２の角度を有するカメラ平面内に配向され得る。カメラデバイスは、第２の信号を与えるように構成され得る。プロセッサは、第２の信号を受信することと、第２の信号によって示されたディスプレイアセンブリに直交する線に対する視認角を決定することと、決定された視認角に対して画像を補償するために画像データを処理することとを行うように構成され得る。プロセッサは、電気機械システムディスプレイデバイスのうちの第１の１つから反射された光の波長の変化に対して画像を補償するために画像データを処理するようにさらに構成され得る。波長の変化は、決定された視認角によってもたらされ得る。
【００１１】
装置は、メモリデバイスと、ドライバ回路と、コントローラとを含み得る。メモリデバイスは、プロセッサと通信するように構成され得る。ドライバ回路は、少なくとも１つの第２の信号をディスプレイアセンブリに送信するように構成され得る。コントローラは、画像データの少なくとも一部をドライバ回路に送信するように構成され得る。装置は、画像データをプロセッサに送信するように構成された画像ソースモジュールを含み得る。画像ソースモジュールは、受信機、トランシーバ、および／または送信機を含み得る。装置はまた、入力データを受信し、入力データをプロセッサに伝達するように構成された入力デバイスを含み得る。
【００１２】
本開示で説明する主題の別の発明的態様は、電気機械システムディスプレイデバイスのアレイと、少なくとも１つのセンサを含むセンサシステムと、カメラデバイスと、プロセッサとを含むディスプレイアセンブリを含む装置内に実装され得る。プロセッサは、センサシステムからセンサデータを受信することと、カメラから画像データを受信することと、画像データおよびセンサデータに基づいてディスプレイアセンブリの平面に対する視認角を決定することとを行うように構成され得る。
【００１３】
プロセッサは、視認角を補償するためにディスプレイアセンブリを制御するように構成され得る。プロセッサは、視認角に起因する波長の変化を補償するためにディスプレイアセンブリを制御するように構成され得る。
【００１４】
センサは、ディスプレイアセンブリの平面に対して第１の角度を有するセンサ平面内に配向され得る。プロセッサは、センサデータに少なくとも部分的に基づいてディスプレイアセンブリに対する照明角を決定するように構成され得る。プロセッサは、照明角を補償するためにディスプレイアセンブリを制御するように構成され得る。
【００１５】
本開示で説明する主題の別の発明的態様は、照明角および／または視認角を決定するステップを伴う方法で実装され得る。角度は、たとえば、ディスプレイアセンブリに対して、またはディスプレイアセンブリに直交する線に対して決定され得る。ディスプレイアセンブリは、電気機械システムディスプレイデバイスのアレイを含み得る。決定された照明角または視認角のうちの少なくとも一方がゼロでない場合、方法は、決定された照明角および／または視認角に少なくとも部分的に基づいて、ディスプレイアセンブリの電気機械システムディスプレイデバイスのうちの少なくとも一方の中に光学ギャップを設定するステップを伴い得る。光学ギャップは、決定された照明角および／または視認角を補償するように設定され得る。
【００１６】
設定プロセスは、第１の電気機械システムディスプレイデバイスから反射された光の波長の変化を補償するために光学ギャップを設定するステップを伴い得る。変化は、照明角および／または視認角によって引き起こされ得る。
【００１７】
方法は、照明角および／または視認角における１つまたは複数の高い周波数の変化を除去するために、決定された照明角および／または視認角を示す信号をフィルタリングするステップを伴い得る。照明角および／または視認角は、少なくとも部分的に信号に応じて決定され得る。
【００１８】
方法は、照明角および／または視認角を示す信号をカメラデバイスおよび／またはセンサから受信するステップを伴い得る。カメラデバイスおよび／またはセンサは、ディスプレイアセンブリの平面に対して第２の角度を有する平面内に配向され得る。照明角および／または視認角は、信号を使用して決定され得る。
【００１９】
方法は、たとえばディスプレイアセンブリに直交する線に対する照明角と視認角の両方を決定するステップを伴い得る。第１の電気機械システムディスプレイデバイス内の光学ギャップを設定するプロセスは、決定された照明角と決定された視認角の両方に少なくとも部分的に基づき得る。
【００２０】
本開示で説明する主題の別の発明的態様は、ディスプレイアセンブリを含む装置を制御するためのプログラム命令を含む非一時的コンピュータ機械可読媒体内に実装され得る。プログラム命令は、照明角および／または視認角を決定するステップを含む動作のためのコードを含み得る。照明角および／または視認角は、たとえば、ディスプレイアセンブリに対して、またはディスプレイアセンブリに直交する線に対して決定され得る。ディスプレイアセンブリは、電気機械システムディスプレイデバイスのアレイを含み得る。決定された照明角または視認角のうちの少なくとも一方がゼロでない場合、動作は、決定された照明角および／または視認角に少なくとも部分的に基づいて、ディスプレイアセンブリの電気機械システムディスプレイデバイスのうちの少なくとも一方の中に光学ギャップを設定するステップを伴い得る。光学ギャップは、決定された照明角および／または視認角を補償するように設定され得る。
【００２１】
設定するプロセスは、第１の電気機械システムディスプレイデバイスから反射された光の波長の変化を補償するために光学ギャップを設定するステップを伴い得る。変化は、照明角および／または視認角によって引き起こされ得る。
【００２２】
本開示で説明する主題の別の発明的態様は、センサシステムからセンサデータを受信するステップと、カメラから画像データを受信するステップと、画像データおよび／またはセンサデータに少なくとも部分的に基づいて視認角を決定するステップとを伴う方法において実装され得る。視認角は、たとえば、ディスプレイアセンブリの平面に対して、またはディスプレイアセンブリに直交する線に対して決定され得る。方法は、視認角を補償するためにディスプレイアセンブリを制御するステップを伴い得る。ディスプレイアセンブリは、電気機械システムディスプレイデバイスのアレイを含み得る。
【００２３】
制御するプロセスは、視認角に起因する波長の変化を補償するためにディスプレイアセンブリを制御するステップを伴い得る。方法は、センサデータに少なくとも部分的に基づいてディスプレイアセンブリに対する照明角を決定するステップと、照明角を補償するためにディスプレイアセンブリを制御するステップとを伴い得る。
【００２４】
本開示で説明する主題の別の発明的態様は、プログラム命令を記憶した非一時的媒体内に実装され得る。プログラム命令は、センサシステムからセンサデータを受信するステップと、カメラから画像データを受信するステップと、画像データおよび／またはセンサデータに少なくとも部分的に基づいて視認角を決定するステップとを含む動作のための命令を含み得る。視認角は、たとえば、ディスプレイアセンブリの平面に対して、またはディスプレイアセンブリに直交する線に対して決定され得る。方法は、視認角を補償するためにディスプレイアセンブリを制御するステップを伴い得る。ディスプレイアセンブリは、電気機械システムディスプレイデバイスのアレイを含み得る。
【００２５】
制御するプロセスは、視認角に起因する波長の変化を補償するためにディスプレイアセンブリを制御するステップを伴い得る。方法は、センサデータに少なくとも部分的に基づいてディスプレイアセンブリに対する照明角を決定するステップと、照明角を補償するためにディスプレイアセンブリを制御するステップとを伴い得る。
【００２６】
本明細書で説明する主題の１つまたは複数の実施態様の詳細が、添付の図面および以下の説明において示されている。他の特徴、態様、および利点は、説明、図面、および特許請求の範囲から明らかになるであろう。以下の図の相対寸法は一定の縮尺で描かれていないことがあることに留意されたい。
【図面の簡単な説明】
【００２７】
【図１】干渉変調器（ＩＭＯＤ）ディスプレイデバイスの一連のピクセル中の２つの隣接ピクセルを示す等角図の一例である。
【図２】３×３干渉変調器ディスプレイを組み込んだ電子デバイスを示すシステムブロック図の一例である。
【図３】図１の干渉変調器についての可動反射層位置対印加電圧を示す図の一例である。
【図４】様々なコモン電圧およびセグメント電圧が印加されたときの干渉変調器の様々な状態を示す表の一例を示す図である。
【図５Ａ】図２の３×３干渉変調器ディスプレイにおけるディスプレイデータのフレームを示す図の一例である。
【図５Ｂ】図５Ａに示すディスプレイデータのフレームを書き込むために使用され得るコモン信号およびセグメント信号についてのタイミング図の一例である。
【図６Ａ】図１の干渉変調器ディスプレイの部分断面図の一例である。
【図６Ｂ】干渉変調器の異なる実施態様の断面図の一例である。
【図６Ｃ】干渉変調器の異なる実施態様の断面図の一例である。
【図６Ｄ】干渉変調器の異なる実施態様の断面図の一例である。
【図６Ｅ】干渉変調器の異なる実施態様の断面図の一例である。
【図７】干渉変調器のための製造プロセスを示す流れ図の一例である。
【図８Ａ】干渉変調器を製作する方法における様々な段階の断面概略図の一例である。
【図８Ｂ】干渉変調器を製作する方法における様々な段階の断面概略図の一例である。
【図８Ｃ】干渉変調器を製作する方法における様々な段階の断面概略図の一例である。
【図８Ｄ】干渉変調器を製作する方法における様々な段階の断面概略図の一例である。
【図８Ｅ】干渉変調器を製作する方法における様々な段階の断面概略図の一例である。
【図９Ａ】アナログＩＭＯＤ（ＡＩＭＯＤ）が異なる色を作成するために、いかにして構成され得るかの例を示す図である。
【図９Ｂ】アナログＩＭＯＤ（ＡＩＭＯＤ）が異なる色を作成するために、いかにして構成され得るかの例を示す図である。
【図９Ｃ】アナログＩＭＯＤ（ＡＩＭＯＤ）が異なる色を作成するために、いかにして構成され得るかの例を示す図である。
【図９Ｄ】アナログＩＭＯＤ（ＡＩＭＯＤ）が異なる色を作成するために、いかにして構成され得るかの例を示す図である。
【図９Ｅ】アナログＩＭＯＤ（ＡＩＭＯＤ）が異なる色を作成するために、いかにして構成され得るかの例を示す図である。
【図１０Ａ】ディスプレイアセンブリの照明角の一例を示す図である。
【図１０Ｂ】直接照明のもとでＥＭＳディスプレイデバイスのブルーシフトを補償するためのプロセスの一例を示すフロー図である。
【図１１】ディスプレイアセンブリの視認角の一例を示す図である。
【図１２】拡散照明のもとでＥＭＳディスプレイデバイスのブルーシフトを補償するためのプロセスの一例を示すフロー図である。
【図１３】照明角を測定するように構成されたディスプレイアセンブリとセンサとを含む装置の一例のブロック図である。
【図１４Ａ】照明角を測定するように構成されたセンサの例の概略図である。
【図１４Ｂ】照明角を測定するように構成されたセンサの例の概略図である。
【図１５Ａ】複数の干渉変調器を含むディスプレイデバイスを示すシステムブロック図の一例である。
【図１５Ｂ】複数の干渉変調器を含むディスプレイデバイスを示すシステムブロック図の一例である。
【発明を実施するための形態】
【００２８】
様々な図面中の同様の参照番号および名称は、同様の要素を示す。
【００２９】
以下の説明は、本開示の発明的態様について説明するために、いくつかの実施態様に向けられる。ただし、本明細書の教示が多数の異なる方法において適用できることは、当業者は容易に認識されよう。説明される実施態様は、動いていようと（たとえば、ビデオ）、静止していようと（たとえば、静止画像）、およびテキストであろうと、グラフィックであろうと、絵であろうと、画像を表示するように構成することができる任意のデバイスまたはシステムにおいて実施することができる。より詳細には、説明される実施態様は、限定はしないが、携帯電話、マルチメディアインターネット対応セルラー電話、モバイルテレビジョン受信機、ワイヤレスデバイス、スマートフォン、Ｂｌｕｅｔｏｏｔｈ（登録商標）デバイス、携帯情報端末（ＰＤＡ）、ワイヤレス電子メール受信機、ハンドヘルドまたはポータブルコンピュータ、ネットブック、ノートブック、スマートブック、タブレット、プリンタ、コピー機、スキャナ、ファクシミリデバイス、ＧＰＳ受信機／ナビゲータ、カメラ、ＭＰ３プレーヤ、カムコーダ、ゲーム機、腕時計、クロック、計算器、テレビジョンモニタ、フラットパネルディスプレイ、電子リーディングデバイス（すなわち、電子リーダー）、コンピュータモニタ、自動車ディスプレイ（オドメータおよびスピードメータディスプレイなどを含む）、コックピットコントロールおよび／またはディスプレイ、カメラビューディスプレイ（車両における後部ビューカメラのディスプレイなど）、電子写真、電子ビルボードまたは標示、プロジェクタ、アーキテクチャ構造物、電子レンジ、冷蔵庫、ステレオシステム、カセットレコーダーまたはプレーヤ、ＤＶＤプレーヤ、ＣＤプレーヤ、ＶＣＲ、ラジオ、ポータブルメモリチップ、洗濯機、乾燥機、洗濯機／乾燥機、パーキングメータ、（電気機械システム（ＥＭＳ）、マイクロ電気機械システム（ＭＥＭＳ）および非ＭＥＭＳ適用例などにおける）パッケージング、審美構造物（たとえば、１つの宝飾品上の画像のディスプレイ）、ならびに様々なＥＭＳデバイスなど、種々の電子デバイス中に含まれ得るかまたはそれらに関連付けられ得ることを企図している。また、本明細書の教示は、限定はしないが、電子スイッチングデバイス、無線周波数フィルタ、センサ、加速度計、ジャイロスコープ、運動検知デバイス、磁力計、コンシューマーエレクトロニクスのための慣性構成要素、コンシューマーエレクトロニクス製品の部品、バラクタ、液晶デバイス、電気泳動デバイス、駆動方式、製造プロセスおよび電子テスト機器など、ディスプレイ以外の応用形態において使用することもできる。したがって、本教示は、単に図に示す実施態様に限定されるものではなく、代わりに、当業者には容易に明らかになるであろう広い適用性を有する。
【００３０】
光源からＩＭＯＤデバイスまたはＥＭＳディスプレイデバイスの閲覧者までの光の光路は、光の照明角および閲覧者の視認角によって変化することがある。いくつかの事例では、光路の変化は、ＩＭＯＤデバイスまたはＥＭＳディスプレイデバイスから反射されるように意図された色において色ずれを生じることがある。たとえば、ＩＭＯＤデバイスまたはＥＭＳディスプレイデバイスの閲覧者によって知覚される色は、ブルーシフトされることがあり、すなわち、反射されるように意図された色より短い波長を有する色になることがある。
【００３１】
それゆえ、本明細書で説明するいくつかの実施態様は、アナログＩＭＯＤデバイスを含むアナログＥＭＳディスプレイデバイスのブルーシフトを補償することに関する。たとえば、いくつかの実施態様では、装置は、ディスプレイアセンブリと、センサと、プロセッサとを含み得る。ディスプレイアセンブリは、電気機械システムディスプレイデバイスのアレイを含み得る。センサは、信号を与えるように構成され得、ディスプレイアセンブリの平面に実質的に平行な平面内に、またはディスプレイデバイスアセンブリに対して知られている角度を有する平面内に配向され得る。プロセッサは、ディスプレイアセンブリおよびセンサと通信するように構成され得る。プロセッサはまた、センサから信号を受信することと、信号によって示されるディスプレイアセンブリに直交する線に対する照明角を決定することと、決定された照明角と電気機械システムディスプレイデバイスのうちの第１の１つから反射された光の波長においてもたらされた変化とを補償するために画像データを処理することとを行うように構成され得る。そのような装置は、ブルーシフトの補償をもたらすために、ディスプレイアセンブリのアナログＥＭＳディスプレイデバイスの実時間調整が可能であり得る。
【００３２】
いくつかの実施態様では、装置は、カメラデバイスとセンサシステムとを含み得る。プロセッサは、センサシステムからセンサデータを受信することと、カメラから画像データを受信することと、画像データおよびセンサデータに基づいてディスプレイアセンブリの平面に対する視認角を決定することとを行うように構成され得る。プロセッサは、視認角を補償するためにディスプレイアセンブリを制御するように構成され得る。制御するプロセスは、決定された視認角を補償するために、ディスプレイアセンブリの電気機械システムディスプレイデバイスのうちの少なくとも１つのデバイス内の光学ギャップを設定するステップを伴い得る。いくつかの実施態様では、プロセッサは、視認角および照明角を補償するためにディスプレイアセンブリを制御するように構成され得る。
【００３３】
本開示で説明する主題の特定の実施態様は、以下の潜在的な利点のうちの１つまたは複数を実現するために実装され得る。本明細書で開示する装置および方法は、ブルーシフトを補償するためにアナログＥＭＳディスプレイデバイスの実時間調整に使用され得る。いくつかの実施態様では、装置および方法は、ＥＭＳディスプレイデバイスのブルーシフトを低減するために、ＥＭＳディスプレイデバイスに近接して配置された低ヘイズ拡散器（たとえば、入射光の約５０％〜７０％を散乱させる拡散器）とともに使用され得る。拡散器は、入射光を広角分布に拡散または散開するように構成された膜またはデバイスである。本明細書で使用する拡散器のヘイズは、入射光の方向から約±２．５度超に散乱される拡散器によって伝達された光の割合として定義される。高ヘイズ拡散器（たとえば、約９０％超）は、ブルーシフトを低減するためにＥＭＳディスプレイデバイスとともに使用されることがあるが、高ヘイズ拡散器は、ＥＭＳディスプレイデバイスの色域および彩度を低減することがある。さらに、高ヘイズ拡散器はまた、拡散器がディスプレイアセンブリから離れた距離に位置するとき、ディスプレイアセンブリの個別のＥＭＳディスプレイデバイス（たとえば、ピクセル）の間でクロストークを生じることがあり、それによってＥＭＳディスプレイデバイスのアレイから成るディスプレイデバイスの光学的品質を低下させる。本明細書で開示する装置および方法を使用すると、低ヘイズ拡散器を使用することが可能になり得る。
【００３４】
説明する実施態様が適用され得る好適なＥＭＳまたはＭＥＭＳデバイスの一例は、反射型ディスプレイデバイスである。反射型ディスプレイデバイスは、光学干渉の原理を使用してそれに入射する光を選択的に吸収および／または反射するために干渉変調器（ＩＭＯＤ）を組み込むことができる。ＩＭＯＤは、吸収器、吸収器に対して可動である反射体、ならびに吸収器と反射体との間に画定された光学共振キャビティを含むことができる。反射体は、２つ以上の異なる位置に移動され得、これは、光学共振キャビティのサイズを変化させ、それにより干渉変調器の反射率に影響を及ぼすことがある。ＩＭＯＤの反射スペクトルは、かなり広いスペクトルバンドをもたらすことができ、そのスペクトルバンドは、異なる色を生成するために可視波長にわたってシフトされ得る。スペクトルバンドの位置は、光学共振キャビティの厚さを変更することによって調節され得る。光学共振キャビティを変更する１つの方法は、反射体の位置を変更することによるものである。
【００３５】
図１は、双安定干渉変調器（ＩＭＯＤ）ディスプレイデバイスの一連のピクセルの中の２つの隣接するピクセルを表す等角図の一例を示す。双安定ＩＭＯＤデバイスの詳細は、概略的背景を提供するために図１〜図８Ｅでより詳細に説明するが、いくつかのＩＭＯＤデバイスは、８または１６（白、黒、および６または１４の他の色に対応する）、あるいはそれ以上の、多数の状態にあり得ることを理解されたい。そのようなＩＭＯＤは、たとえＩＭＯＤが有限の数の制御可能状態を有するとしても、しばしば、「アナログ」ＩＭＯＤと呼ばれることがある。ＩＭＯＤのそのような実施態様のいくつかの説明が、図９Ａ〜図９Ｅにおいて提供される。図１に戻ると、ＩＭＯＤディスプレイデバイスは、１つまたは複数の干渉ＭＥＭＳディスプレイ要素を含む。これらのデバイスでは、ＭＥＭＳディスプレイ要素のピクセルが、明状態または暗状態のいずれかにあることがある。明（「緩和」、「開」または「オン」）状態では、ディスプレイ要素は、たとえば、ユーザに、入射可視光の大部分を反射する。逆に、暗（「作動」、「閉」または「オフ」）状態では、ディスプレイ要素は入射可視光をほとんど反射しない。いくつかの実施態様では、オン状態の光反射特性とオフ状態の光反射特性は逆にされ得る。ＭＥＭＳピクセルは、黒および白に加えて、主に、カラーディスプレイを可能にする特定の波長において、反射するように構成され得る。
【００３６】
ＩＭＯＤディスプレイデバイスは、ＩＭＯＤの行／列アレイを含むことができる。各ＩＭＯＤは、エアギャップ（光学ギャップまたは光キャビティとも呼ばれる）を形成するために互いから可変で制御可能な距離に配置された反射層のペア、すなわち可動反射層および固定部分反射層を含むことができる。可動反射層は、少なくとも２つの位置の間で移動され得る。第１の位置、すなわち、緩和位置では、可動反射層は、固定部分反射層から比較的大きい距離をおいて配置され得る。第２の位置、すなわち、作動位置では、可動反射層は、部分反射層により近接して配置され得る。それら２つの層から反射する入射光は、可動反射層の位置に応じて、強め合うようにまたは弱め合うように干渉し、各ピクセルについて全反射状態または無反射状態のいずれかを引き起こすことがある。いくつかの実施態様では、ＩＭＯＤは、作動していないときに反射状態にあり、可視スペクトル内の光を反射し得、また、作動していないときに暗状態にあり、可視範囲内の光を吸収し、および／または弱め合うようにそれに干渉し得る。ただし、いくつかの他の実施態様では、ＩＭＯＤは、作動していないときに暗状態にあり、作動しているときに反射状態にあり得る。いくつかの実施態様では、印加電圧の導入が、状態を変更するようにピクセルを駆動することができる。いくつかの他の実施態様では、印加電荷が、状態を変更するようにピクセルを駆動することができる。
【００３７】
図１中のピクセルアレイの図示の部分は、２つの隣接する干渉変調器１２を含む。（図示のような）左側のＩＭＯＤ１２では、可動反射層１４が、部分反射層を含む光学スタック１６からの所定の距離における緩和位置に示されている。左側のＩＭＯＤ１２にわたって印加された電圧Ｖ０は、可動反射層１４の作動を引き起こすには不十分である。右側のＩＭＯＤ１２では、可動反射層１４は、光学スタック１６の近くの、またはそれに隣接する作動位置に示されている。右側のＩＭＯＤ１２にわたって印加された電圧Ｖｂｉａｓは、可動反射層１４を作動位置に維持するのに十分である。
【００３８】
図１では、ピクセル１２の反射特性が、概して、ピクセル１２に入射する光と、左側のピクセル１２から反射する光１５とを示す矢印１３を用いて示されている。詳細に示していないが、ピクセル１２に入射する光１３の大部分は透明基板２０を透過され、光学スタック１６に向かうことになることを、当業者なら理解されよう。光学スタック１６に入射する光の一部分は光学スタック１６の部分反射層を透過されることになり、一部分は反射され、透明基板２０を通って戻ることになる。光学スタック１６を透過された光１３の部分は、可動反射層１４において反射され、透明基板２０に向かって（およびそれを通って）戻ることになる。光学スタック１６の部分反射層から反射された光と可動反射層１４から反射された光との間の（強め合うまたは弱め合う）干渉が、ピクセル１２から反射される光１５の波長を決定することになる。
【００３９】
光学スタック１６は、単一の層またはいくつかの層を含むことができる。その層は、電極層と、部分反射および部分透過層と、透明な誘電体層とのうちの１つまたは複数を含むことができる。いくつかの実施態様では、光学スタック１６は、電気伝導性であり、部分的に透明で、部分的に反射性であり、たとえば、透明基板２０上に上記の層のうちの１つまたは複数を堆積させることによって、作製され得る。電極層は、様々な金属、たとえば酸化インジウムスズ（ＩＴＯ）など、様々な材料から形成され得る。部分反射層は、クロム（Ｃｒ）などの様々な金属、半導体、および誘電体など、部分的に反射性である様々な材料から形成され得る。部分反射層は、材料の１つまたは複数の層から形成され得、それらの層の各々は、単一の材料または材料の組合せから形成され得る。いくつかの実施態様では、光学スタック１６は、光吸収体と電気導体の両方として働く、金属または半導体の単一の半透明の膜（ｔｈｉｃｋｎｅｓｓ）を含むことができるが、（たとえば、光学スタック１６の、またはＩＭＯＤの他の構造の）異なる、電気的により伝導性の高い層または部分が、ＩＭＯＤピクセル間で信号をバスで運ぶ（ｂｕｓ）ように働くことができる。光学スタック１６は、１つまたは複数の伝導性層または電気伝導性／光吸収層をカバーする、１つまたは複数の絶縁層または誘電体層をも含むことができる。
【００４０】
いくつかの実施態様では、光学スタック１６の層は、以下でさらに説明するように、平行ストリップにパターニングされ得、ディスプレイデバイスにおける行電極を形成し得る。当業者によって理解されるように、「パターニング」という用語は、本明細書では、マスキングプロセスならびにエッチングプロセスを指すために使用される。いくつかの実施態様では、アルミニウム（Ａｌ）などの高伝導性および反射性材料が可動反射層１４のために使用され得、これらのストリップはディスプレイデバイスにおける列電極を形成し得る。可動反射層１４は、（光学スタック１６の行電極に直交する）１つまたは複数の堆積された金属層の一連の平行ストリップとして形成されて、ポスト１８の上に堆積された列とポスト１８間に堆積された介在する犠牲材料とを形成し得る。犠牲材料がエッチング除去されると、画定されたギャップ１９または光キャビティが可動反射層１４と光学スタック１６との間に形成され得る。いくつかの実施態様では、ポスト１８間の間隔は約１〜１０００μｍであり得、ギャップ１９は１０，０００オングストローム（Å）未満であり得る。
【００４１】
いくつかの実施態様では、ＩＭＯＤの各ピクセルは、作動状態にあろうと緩和状態にあろうと、本質的に、固定反射層および可動反射層によって形成されるキャパシタである。電圧が印加されないとき、可動反射層１４は、図１中の左側のピクセル１２によって示されるように、機械的に緩和した状態にとどまり、可動反射層１４と光学スタック１６との間のギャップ１９がある。しかしながら、電位差、すなわち電圧が、選択された行および列のうちの少なくとも１つに印加されたとき、対応するピクセルにおける行電極と列電極との交差部に形成されたキャパシタは帯電し、静電力がそれらの電極を引き合わせる。印加された電圧がしきい値を超える場合、可動反射層１４は、変形し、光学スタック１６の近くにまたはそれに対して移動することができる。光学スタック１６内の誘電体層（図示せず）が、図１中の右側の作動ピクセル１２によって示されるように、短絡を防ぎ、層１４と層１６との間の分離距離を制御し得る。その挙動は、印加電位差の極性にかかわらず同じである。いくつかの事例ではアレイ中の一連のピクセルが「行」または「列」と呼ばれることがあるが、ある方向を「行」と呼び、別の方向を「列」と呼ぶことは恣意的であることを、当業者は容易に理解されよう。言い換えれば、いくつかの配向では、行は列と見なされ得、列は行であると見なされ得る。さらに、ディスプレイ要素は、直交する行および列に一様に配置されるか（「アレイ」）、または、たとえば、互いに対して一定の位置オフセットを有する、非線形構成で配置され得る（「モザイク」）。「アレイ」および「モザイク」という用語は、いずれかの構成を指し得る。したがって、ディスプレイは、「アレイ」または「モザイク」を含むものとして言及されるが、その要素自体は、いかなる事例においても、互いに直交して配置される必要がなく、または一様な分布で配設される必要がなく、非対称形状および不均等に分布された要素を有する配置を含み得る。
【００４２】
図２は、３×３干渉変調器ディスプレイを組み込んだ電子デバイスを示すシステムブロック図の一例を示す。電子デバイスは、１つまたは複数のソフトウェアモジュールを実行するように構成され得るプロセッサ２１を含む。オペレーティングシステムを実行することに加えて、プロセッサ２１は、ウェブブラウザ、電話アプリケーション、電子メールプログラム、または他のソフトウェアアプリケーションを含む、１つまたは複数のソフトウェアアプリケーションを実行するように構成され得る。
【００４３】
プロセッサ２１は、アレイドライバ２２と通信するように構成され得る。アレイドライバ２２は、たとえば、ディスプレイアレイまたはパネル３０に、信号を与える行ドライバ回路２４と列ドライバ回路２６とを含むことができる。図２には、図１に示したＩＭＯＤディスプレイデバイスの断面が線１−１によって示されている。図２は明快のためにＩＭＯＤの３×３アレイを示しているが、ディスプレイアレイ３０は、極めて多数のＩＭＯＤを含んでいることがあり、列におけるＩＭＯＤの数とは異なる数のＩＭＯＤを行において有し得、その逆も同様である。
【００４４】
図３は、図１の干渉変調器についての可動反射層位置対印加電圧を示す図の一例を示す。ＭＥＭＳ干渉変調器の場合、行／列（すなわち、コモン／セグメント）書込みプロシージャが、図３に示すこれらのデバイスのヒステリシス特性を利用し得る。干渉変調器は、可動反射層またはミラーに緩和状態から作動状態に変更させるために、例示的な一実施態様では、約１０ボルトの電位差を使用し得る。電圧がその値から低減されると、電圧が低下して、この例では、１０ボルトより下に戻ったとき、可動反射層はそれの状態を維持するが、電圧が２ボルトより下に低下するまで、可動反射層は完全には緩和しない。したがって、図３に示すように、この例では、印加電圧のウィンドウがある電圧の範囲、約３〜７ボルトが存在し、そのウィンドウ内でデバイスは緩和状態または作動状態のいずれかで安定している。これは、本明細書では「ヒステリシスウィンドウ」または「安定性ウィンドウ」と呼ばれる。図３のヒステリシス特性を有するディスプレイアレイ３０の場合、行／列書込みプロシージャは、一度に１つまたは複数の行をアドレス指定するように設計され得、その結果、所与の行のアドレス指定中に、作動されるべきアドレス指定された行におけるピクセルは、この例では、約１０ボルトの電圧差にさらされ、緩和されるべきピクセルは、ほぼ０ボルトの電圧差にさらされる。アドレス指定後に、それらのピクセルは、それらが前のストローブ状態にとどまるような、この例では約５ボルトの定常状態またはバイアス電圧差にさらされ得る。この例では、アドレス指定された後に、各ピクセルは、約３〜７ボルトの「安定性ウィンドウ」内の電位差を経験する。このヒステリシス特性の特徴は、図１に示したピクセル設計などのピクセル設計が、同じ印加電圧条件下で作動または緩和のいずれかの既存の状態で安定したままであることを可能にする。各ＩＭＯＤピクセルは、作動状態にあろうと緩和状態にあろうと、本質的に、固定反射層および可動反射層によって形成されるキャパシタであるので、この安定状態は、電力を実質的に消費するかまたは失うことなしに、ヒステリシスウィンドウ内の定常電圧において保持され得る。その上、印加電圧電位が実質的に固定のままである場合、電流は本質的にほとんどまたはまったくＩＭＯＤピクセルに流れ込まない。
【００４５】
いくつかの実施態様では、所与の行におけるピクセルの状態の所望の変化（もしあれば）に従って、列電極のセットに沿って「セグメント」電圧の形態のデータ信号を印加することによって、画像のフレームが作成され得る。次に、フレームが一度に１行書き込まれるように、アレイの各行がアドレス指定され得る。第１の行におけるピクセルに所望のデータを書き込むために、第１の行におけるピクセルの所望の状態に対応するセグメント電圧が列電極上に印加され得、特定の「コモン」電圧または信号の形態の第１の行パルスが第１の行電極に印加され得る。次いで、セグメント電圧のセットは、第２の行におけるピクセルの状態の所望の変化（もしあれば）に対応するように変更され得、第２のコモン電圧が第２の行電極に印加され得る。いくつかの実施態様では、第１の行におけるピクセルは、列電極に沿って印加されたセグメント電圧の変化による影響を受けず、第１のコモン電圧行パルス中にそれらのピクセルが設定された状態にとどまる。このプロセスは、画像フレームを生成するために、一連の行全体、または代替的に、一連の列全体について、連続方式で繰り返され得る。フレームは、何らかの所望の数のフレーム毎秒でこのプロセスを断続的に反復することによって、新しい画像データでリフレッシュおよび／または更新され得る。
【００４６】
各ピクセルにわたって印加されるセグメント信号とコモン信号の組合せ（すなわち、各ピクセルにわたる電位差）は、各ピクセルの得られる状態を決定する。図４は、様々なコモン電圧およびセグメント電圧が印加されたときの干渉変調器の様々な状態を示す表の一例を示している。当業者によって理解されるように、「セグメント」電圧は、列電極または行電極のいずれかに印加され得、「コモン」電圧は、列電極または行電極のうちの他方に印加され得る。
【００４７】
図４に（ならびに図５Ｂに示すタイミング図に）示すように、開放電圧（ｒｅｌｅａｓｅ  ｖｏｌｔａｇｅ）ＶＣＲＥＬがコモンラインに沿って印加されたとき、コモンラインに沿ったすべての干渉変調器要素は、セグメントラインに沿って印加された電圧、すなわち、高いセグメント電圧ＶＳＨおよび低いセグメント電圧ＶＳＬにかかわらず、代替的に開放または非作動状態と呼ばれる、緩和状態に入れられることになる。特に、開放電圧ＶＣＲＥＬがコモンラインに沿って印加されると、そのピクセルのための対応するセグメントラインに沿って高いセグメント電圧ＶＳＨが印加されたときも、低いセグメント電圧ＶＳＬが印加されたときも、変調器ピクセルにわたる潜在的な電圧（代替的にピクセル電圧と呼ばれる）は緩和ウィンドウ（図３参照、開放ウィンドウとも呼ばれる）内にある。
【００４８】
高い保持電圧ＶＣＨＯＬＤ＿Ｈまたは低い保持電圧ＶＣＨＯＬＤ＿Ｌなどの保持電圧がコモンライン上に印加されたとき、干渉変調器の状態は一定のままであることになる。たとえば、緩和ＩＭＯＤは緩和位置にとどまることになり、作動ＩＭＯＤは作動位置にとどまることになる。保持電圧は、対応するセグメントラインに沿って高いセグメント電圧ＶＳＨが印加されたときも、低いセグメント電圧ＶＳＬが印加されたときも、ピクセル電圧が安定性ウィンドウ内にとどまることになるように、選択され得る。したがって、セグメント電圧スイング（ｖｏｌｔａｇｅ  ｓｗｉｎｇ）、すなわち、高いＶＳＨと低いセグメント電圧ＶＳＬとの間の差は、正または負のいずれかの安定性ウィンドウの幅よりも小さい。
【００４９】
高いアドレス指定電圧ＶＣＡＤＤ＿Ｈまたは低いアドレス指定電圧ＶＣＡＤＤ＿Ｌなどのアドレス指定または作動電圧がコモンライン上に印加されたとき、それぞれのセグメントラインに沿ったセグメント電圧の印加によって、データがそのコモンラインに沿った変調器に選択的に書き込まれ得る。セグメント電圧は、作動が印加されたセグメント電圧に依存するように選択され得る。アドレス指定電圧がコモンラインに沿って印加されたとき、一方のセグメント電圧の印加は、安定性ウィンドウ内のピクセル電圧をもたらし、ピクセルが非作動のままであることを引き起こすことになる。対照的に、他方のセグメント電圧の印加は、安定性ウィンドウを越えるピクセル電圧をもたらし、ピクセルの作動をもたらすことになる。作動を引き起こす特定のセグメント電圧は、どのアドレス指定電圧が使用されるかに応じて変動することができる。いくつかの実施態様では、高いアドレス指定電圧ＶＣＡＤＤ＿Ｈがコモンラインに沿って印加されたとき、高いセグメント電圧ＶＳＨの印加は、変調器がそれの現在位置にとどまることを引き起こすことがあり、低いセグメント電圧ＶＳＬの印加は、変調器の作動を引き起こすことがある。当然の結果として、低いアドレス指定電圧ＶＣＡＤＤ＿Ｌが印加されたとき、セグメント電圧の影響は反対であり、高いセグメント電圧ＶＳＨは変調器の作動を引き起こし、低いセグメント電圧ＶＳＬは変調器の状態に影響しない（すなわち、安定したままである）ことがある。
【００５０】
いくつかの実施態様では、変調器にわたって同じ極性電位差を引き起こす保持電圧、アドレス電圧、およびセグメント電圧が使用され得る。いくつかの他の実施態様では、時間ごとに変調器の電位差の極性を交番する信号が使用され得る。変調器にわたる極性の交番（すなわち、書込みプロシージャの極性の交番）は、単一の極性の反復書込み動作後に起こることがある電荷蓄積を低減または抑止し得る。
【００５１】
図５Ａは、図２の３×３干渉変調器ディスプレイにおけるディスプレイデータのフレームを示す図の一例を示す。図５Ｂは、図５Ａに示すディスプレイデータのフレームを書き込むために使用され得るコモン信号およびセグメント信号についてのタイミング図の一例を示す。それらの信号は、図２のアレイと同様の３×３アレイに印加され得、これは、図５Ａに示すライン時間６０ｅディスプレイ配置を最終的にもたらすことになる。図５Ａ中の作動変調器は暗状態にあり、すなわち、その状態では、反射光の実質的部分が、たとえば、閲覧者に、暗い外観をもたらすように可視スペクトルの外にある。図５Ａに示すフレームを書き込むより前に、ピクセルは任意の状態にあることがあるが、図５Ｂのタイミング図に示す書込みプロシージャは、各変調器が、第１のライン時間６０ａの前に、開放されており、非作動状態に属すると仮定する。
【００５２】
第１のライン時間６０ａ中に、開放電圧７０がコモンライン１上に印加され、コモンライン２上に印加される電圧が、高い保持電圧７２において始まり、開放電圧７０に移動し、低い保持電圧７６がコモンライン３に沿って印加される。したがって、コモンライン１に沿った変調器（コモン１，セグメント１）、（１，２）および（１，３）は、第１のライン時間６０ａの持続時間の間、緩和または非作動状態にとどまり、コモンライン２に沿った変調器（２，１）、（２，２）および（２，３）は、緩和状態に移動することになり、コモンライン３に沿った変調器（３，１）、（３，２）および（３，３）は、それらの前の状態にとどまることになる。図４を参照すると、コモンライン１、２または３のいずれも、ライン時間６０ａ中に作動を引き起こす電圧レベルにさらされていないので（すなわち、ＶＣＲＥＬ−緩和、およびＶＣＨＯＬＤ＿Ｌ−安定）、セグメントライン１、２および３に沿って印加されたセグメント電圧は、干渉変調器の状態に影響しないことになる。
【００５３】
第２のライン時間６０ｂ中に、コモンライン１上の電圧は高い保持電圧７２に移動し、コモンライン１に沿ったすべての変調器は、アドレス指定または作動電圧がコモンライン１上に印加されなかったので、印加されたセグメント電圧にかかわらず、緩和状態にとどまる。コモンライン２に沿った変調器は、開放電圧７０の印加により、緩和状態にとどまり、コモンライン３に沿った変調器（３，１）、（３，２）および（３，３）は、コモンライン３に沿った電圧が開放電圧７０に移動するとき、緩和することになる。
【００５４】
第３のライン時間６０ｃ中に、コモンライン１は、コモンライン１上に高いアドレス電圧７４を印加することによってアドレス指定される。このアドレス電圧の印加中に低いセグメント電圧６４がセグメントライン１および２に沿って印加されるので、変調器（１，１）および（１，２）にわたるピクセル電圧は変調器の正の安定性ウィンドウの上端よりも大きく（すなわち、電圧差は、あらかじめ定義されたしきい値を超えた）、変調器（１，１）および（１，２）は作動される。逆に、高いセグメント電圧６２がセグメントライン３に沿って印加されるので、変調器（１，３）にわたるピクセル電圧は、変調器（１，１）および（１，２）のピクセル電圧よりも小さく、変調器の正の安定性ウィンドウ内にとどまり、したがって変調器（１，３）は緩和したままである。また、ライン時間６０ｃ中に、コモンライン２に沿った電圧は低い保持電圧７６に減少し、コモンライン３に沿った電圧は開放電圧７０にとどまり、コモンライン２および３に沿った変調器を緩和位置のままにする。
【００５５】
第４のライン時間６０ｄ中に、コモンライン１上の電圧は、高い保持電圧７２に戻り、コモンライン１に沿った変調器を、それらのそれぞれのアドレス指定された状態のままにする。コモンライン２上の電圧は低いアドレス電圧７８に減少される。高いセグメント電圧６２がセグメントライン２に沿って印加されるので、変調器（２，２）にわたるピクセル電圧は、変調器の負の安定性ウィンドウの下側端部（ｌｏｗｅｒ  ｅｎｄ）を下回り、変調器（２，２）が作動することを引き起こす。逆に、低いセグメント電圧６４がセグメントライン１および３に沿って印加されるので、変調器（２，１）および（２，３）は緩和位置にとどまる。コモンライン３上の電圧は、高い保持電圧７２に増加し、コモンライン３に沿った変調器を緩和状態のままにする。
【００５６】
最後に、第５のライン時間６０ｅ中に、コモンライン１上の電圧は高い保持電圧７２にとどまり、コモンライン２上の電圧は低い保持電圧７６にとどまり、コモンライン１および２に沿った変調器を、それらのそれぞれのアドレス指定された状態のままにする。コモンライン３上の電圧は、コモンライン３に沿った変調器をアドレス指定するために、高いアドレス電圧７４に増加する。低いセグメント電圧６４がセグメントライン２および３上に印加されるので、変調器（３，２）および（３，３）は作動するが、セグメントライン１に沿って印加された高いセグメント電圧６２は、変調器（３，１）が緩和位置にとどまることを引き起こす。したがって、第５のライン時間６０ｅの終わりに、３×３ピクセルアレイは、図５Ａに示す状態にあり、他のコモンライン（図示せず）に沿った変調器がアドレス指定されているときに起こり得るセグメント電圧の変動にかかわらず、保持電圧がコモンラインに沿って印加される限り、その状態にとどまることになる。
【００５７】
図５Ｂのタイミング図では、所与の書込みプロシージャ（すなわち、ライン時間６０ａ〜６０ｅ）は、高い保持およびアドレス電圧、または低い保持およびアドレス電圧のいずれかの使用を含むことができる。書込みプロシージャが所与のコモンラインについて完了されると（また、コモン電圧が、作動電圧と同じ極性を有する保持電圧に設定されると）、ピクセル電圧は、所与の安定性ウィンドウ内にとどまり、開放電圧がそのコモンライン上に印加されるまで、緩和ウィンドウを通過しない。さらに、各変調器が、変調器をアドレス指定するより前に書込みプロシージャの一部として開放されるので、開放時間ではなく変調器の作動時間が、ライン時間を決定し得る。詳細には、変調器の開放時間が作動時間よりも大きい実施態様では、開放電圧は、図５Ｂに示すように、単一のライン時間よりも長く印加され得る。いくつかの他の実施態様では、コモンラインまたはセグメントラインに沿って印加される電圧が、異なる色の変調器など、異なる変調器の作動電圧および開放電圧の変動を相殺するように変動し得る。
【００５８】
上記に記載した原理に従って動作する干渉変調器の構造の詳細は大きく異なり得る。たとえば、図６Ａから図６Ｅは、可動反射層１４とそれの支持構造とを含む、干渉変調器の異なる実施態様の断面図の例を示している。図６Ａは、金属材料のストリップ、すなわち、可動反射層１４が、基板２０から直角に延在する支持体１８上に堆積される、図１の干渉変調器ディスプレイの部分断面図の一例を示している。図６Ｂでは、各ＩＭＯＤの可動反射層１４は、概して形状が正方形または長方形であり、コーナーにおいてまたはその近くでテザー３２に接して支持体に取り付けられる。図６Ｃでは、可動反射層１４は、概して形状が正方形または長方形であり、フレキシブルな金属を含み得る変形可能層３４から吊るされる。変形可能層３４は、可動反射層１４の外周の周りで基板２０に直接または間接的に接続することがある。これらの接続は、本明細書では支持ポストと呼ばれる。図６Ｃに示す実施態様は、変形可能層３４によって行われる可動反射層１４の機械的機能からのそれの光学的機能の分離から派生する追加の利益を有する。この分離は、反射層１４のために使用される構造設計および材料と、変形可能層３４のために使用される構造設計および材料とが、互いとは無関係に最適化されることを可能にする。
【００５９】
図６Ｄは、可動反射層１４が反射副層（ｒｅｆｌｅｃｔｉｖｅ  ｓｕｂ−ｌａｙｅｒ）１４ａを含む、ＩＭＯＤの別の例を示している。可動反射層１４は、支持ポスト１８などの支持構造上に載る。支持ポスト１８は、たとえば、可動反射層１４が緩和位置にあるとき、可動反射層１４と光学スタック１６との間にギャップ１９が形成されるように、下側静止電極（すなわち、図示のＩＭＯＤにおける光学スタック１６の一部）からの可動反射層１４の分離を可能にする。可動反射層１４は、電極として働くように構成され得る伝導性層１４ｃと、支持層１４ｂとをも含むことができる。この例では、伝導性層１４ｃは、基板２０から遠位にある支持層１４ｂの一方の面に配設され、反射副層１４ａは、基板２０の近位にある支持層１４ｂの他方の面に配設される。いくつかの実施態様では、反射副層１４ａは、伝導性であることがあり、支持層１４ｂと光学スタック１６との間に配設され得る。支持層１４ｂは、誘電材料、たとえば、酸窒化ケイ素（ＳｉＯＮ）または二酸化ケイ素（ＳｉＯ２）の、１つまたは複数の層を含むことができる。いくつかの実施態様では、支持層１４ｂは、たとえば、ＳｉＯ２／ＳｉＯＮ／ＳｉＯ２３層スタックなど、複数の層のスタックであり得る。反射副層１４ａと伝導性層１４ｃのいずれかまたは両方は、たとえば、約０．５％の銅（Ｃｕ）または別の反射金属材料を用いた、アルミニウム（Ａｌ）合金を含むことができる。誘電支持層１４ｂの上および下で伝導性層１４ａ、１４ｃを採用することは、応力のバランスをとり、伝導の向上を与えることができる。いくつかの実施態様では、反射副層１４ａおよび伝導性層１４ｃは、可動反射層１４内の特定の応力プロファイルを達成することなど、様々な設計目的で、異なる材料から形成され得る。
【００６０】
図６Ｄに示すように、いくつかの実施態様はブラックマスク構造２３をも含むことができる。ブラックマスク構造２３は、周辺光または迷光を吸収するために、（ピクセル間にまたはポスト１８の下になど）光学不活性領域において形成され得る。ブラックマスク構造２３はまた、光がディスプレイの不活性部分から反射されることまたはそれを透過されることを抑止し、それによりコントラスト比を増加させることによって、ディスプレイデバイスの光学的特性を改善することができる。さらに、ブラックマスク構造２３は、伝導性であり、電気的バス層として機能するように構成され得る。いくつかの実施態様では、行電極は、接続された行電極の抵抗を低減するために、ブラックマスク構造２３に接続され得る。ブラックマスク構造２３は、堆積およびパターニング技法を含む様々な方法を使用して形成され得る。ブラックマスク構造２３は１つまたは複数の層を含むことができる。たとえば、いくつかの実施態様では、ブラックマスク構造２３は、それぞれ、約３０〜８０Å、５００〜１０００Å、および５００〜６０００Åの範囲内の厚さをもつ、光吸収体として働くモリブデンクロム（ＭｏＣｒ）層と、反射体として働くアルミニウム合金層と、バス層とを含む。１つまたは複数の層は、たとえば、ＭｏＣｒ層およびＳｉＯ２層の場合は、四フッ化炭素（ＣＦ４）および／または酸素（Ｏ２）、ならびにアルミニウム合金層の場合は、塩素（Ｃｌ２）および／または三塩化ホウ素（ＢＣｌ３）を含む、フォトリソグラフィおよびドライエッチングを含む、様々な技法を使用してパターニングされ得る。いくつかの実施態様では、ブラックマスク２３はエタロンまたは干渉スタック構造であり得る。そのような干渉スタックブラックマスク構造２３では、伝導性吸収体は、各行または列の光学スタック１６における下側静止電極間で信号を送信するかまたは信号をバスで運ぶために使用され得る。いくつかの実施態様では、スペーサ層３５が、ブラックマスク２３中の伝導性層から吸収層１６ａを概して電気的に絶縁するのに、役立つことができる。
【００６１】
図６Ｅは、可動反射層１４が自立している、ＩＭＯＤの別の例を示している。図６Ｄとは対照的に、図６Ｅの実施態様は支持ポスト１８を含まない。代わりに、可動反射層１４は、複数のロケーションにおいて、下にある光学スタック１６に接触し、可動反射層１４の湾曲は、干渉変調器にわたる電圧が作動を引き起こすには不十分であるとき、可動反射層１４が図６Ｅの非作動位置に戻るという、十分な支持を与える。複数のいくつかの異なる層を含んでいることがある光学スタック１６は、ここでは明快のために、光吸収体１６ａと誘電体１６ｂとを含む状態で示されている。いくつかの実施態様では、光吸収体１６ａは、固定電極としても、部分反射層としても働き得る。いくつかの実施態様では、光吸収体１６ａは可動反射層１４よりも１桁（１０倍以上）薄い。いくつかの実施態様では、光吸収体１６ａは反射副層１４ａよりも薄い。
【００６２】
図６Ａから図６Ｅに示す実施態様などの実施態様では、ＩＭＯＤは直視型デバイスとして機能し、直視型デバイスでは、画像が、透明基板２０の正面、すなわち、変調器が配置された面の反対の面から、閲覧される。これらの実施態様では、デバイスの背面部分（すなわち、たとえば、図６Ｃに示す変形可能層３４を含む、可動反射層１４の背後のディスプレイデバイスの任意の部分）は、反射層１４がデバイスのそれらの部分を光学的に遮蔽するので、ディスプレイデバイスの画質に影響を及ぼすことまたは悪影響を及ぼすことなしに、構成され、作用され得る。たとえば、いくつかの実施態様では、バス構造（図示せず）が可動反射層１４の背後に含まれ得、これは、電圧アドレス指定およびそのようなアドレス指定に起因する移動など、変調器の電気機械的特性から変調器の光学的特性を分離する能力を与える。さらに、図６Ａから図６Ｅの実施態様は、たとえば、パターニングなどの処理を簡略化することができる。
【００６３】
図７は、干渉変調器のための製造プロセス８０を示す流れ図の一例を示しており、図８Ａから図８Ｅは、そのような製造プロセス８０の対応する段階の断面概略図の例を示している。いくつかの実施態様では、製造プロセス８０は、図１および図６に示した一般的なタイプの干渉変調器などの電気機械システムデバイスを製造するために実施され得る。電気機械システムデバイスの製造は、図７に示されていない他のブロックをも含むことができる。図１、図６および図７を参照すると、プロセス８０はブロック８２において開始し、基板２０上への光学スタック１６の形成を伴う。図８Ａは、基板２０上で形成されたそのような光学スタック１６を示している。基板２０は、ガラスまたはプラスチックなどの透明基板であり得、それは、フレキシブルであるかまたは比較的固く曲がらないことがあり、光学スタック１６の効率的な形成を可能にするために、洗浄などの事前準備プロセスにかけられていることがある。上記で説明したように、光学スタック１６は、電気伝導性であり、部分的に透明で、部分的に反射性であることがあり、たとえば、透明基板２０上に、所望の特性を有する１つまたは複数の層を堆積させることによって、作製され得る。図８Ａでは、光学スタック１６は、副層１６ａおよび１６ｂを有する多層構造を含むが、いくつかの他の実施態様では、より多いまたはより少ない副層が含まれ得る。いくつかの実施態様では、副層１６ａ、１６ｂのうちの１つは、組み合わせられた導体／吸収体副層１６ａなど、光吸収特性と電気伝導特性の両方で構成され得る。さらに、副層１６ａ、１６ｂのうちの１つまたは複数は、平行ストリップにパターニングされ得、ディスプレイデバイスにおける行電極を形成し得る。そのようなパターニングは、当技術分野で知られているマスキングおよびエッチングプロセスまたは別の好適なプロセスによって実行され得る。いくつかの実施態様では、副層１６ａ、１６ｂのうちの１つは、１つまたは複数の金属層（たとえば、１つまたは複数の反射層および／または伝導性層）上に堆積された副層１６ｂなど、絶縁層または誘電体層であり得る。さらに、光学スタック１６は、ディスプレイの行を形成する個々の平行ストリップにパターニングされ得る。図８Ａから図８Ｅは、一定の縮尺で描かれていないことがあることに留意されたい。たとえば、図８Ａから図８Ｅでは、副層１６ａ、１６ｂはやや厚く示されているが、いくつかの実施態様では、光学スタックの副層のうちの１つである光吸収層は極めて薄いことがある。
【００６４】
プロセス８０はブロック８４において続き、光学スタック１６上への犠牲層２５の形成を伴う。犠牲層２５は、キャビティ１９を形成するために後で（ブロック９０参照）除去され、したがって、犠牲層２５は、図１に示した得られた干渉変調器１２には示されていない。図８Ｂは、光学スタック１６上で形成された犠牲層２５を含む、部分的に作製されたデバイスを示している。光学スタック１６上での犠牲層２５の形成は、後続の除去後に、所望の設計サイズを有するギャップまたはキャビティ１９（図１および図８Ｅも参照）を与えるように選択された厚さの、モリブデン（Ｍｏ）またはアモルファスシリコン（ａ−Ｓｉ）など、フッ化キセノン（ＸｅＦ２）エッチング可能材料の堆積を含み得る。犠牲材料の堆積は、物理堆積（スパッタリングなど、多くの様々な技法を含むＰＶＤ）、プラズマ強化化学堆積（ＰＥＣＶＤ）、熱化学堆積（熱ＣＶＤ）、またはスピンコーティングなど、堆積技法を使用して行われ得る。
【００６５】
プロセス８０はブロック８６において続き、図１、図６および図８Ｃに示すポスト１８などの支持構造の形成を伴う。ポスト１８の形成は、支持構造開口を形成するために犠牲層２５をパターニングし、次いで、ＰＶＤ、ＰＥＣＶＤ、熱ＣＶＤ、またはスピンコーティングなど、堆積方法を使用して、ポスト１８を形成するために開口中に材料（ポリマー、または酸化ケイ素などの無機材料など）を堆積させることを含み得る。いくつかの実施態様では、犠牲層中に形成された支持構造開口は、ポスト１８の下側端部が図６Ａに示すように基板２０に接触するように、犠牲層２５と光学スタック１６の両方を通って、下にある基板２０まで延在することがある。代替的に、図８Ｃに示すように、犠牲層２５中に形成された開口は、犠牲層２５は通るが、光学スタック１６は通らないで、延在することがある。たとえば、図８Ｅは、光学スタック１６の上側表面（ｕｐｐｅｒ  ｓｕｒｆａｃｅ）と接触している支持ポスト１８の下側端部を示している。ポスト１８、または他の支持構造は、犠牲層２５上に支持構造材料の層を堆積させること、および犠牲層２５中の開口から離れて配置された支持構造材料の部分をパターニングすることによって形成され得る。支持構造は、図８Ｃに示すように開口内に配置され得るが、少なくとも部分的に、犠牲層２５の一部分の上で延在することもある。上述のように、犠牲層２５および／または支持ポスト１８のパターニングは、パターニングおよびエッチングプロセスによって実行され得るが、代替エッチング方法によっても実行され得る。
【００６６】
プロセス８０はブロック８８において続き、図１、図６および図８Ｄに示す可動反射層１４などの可動反射層または膜の形成を伴う。可動反射層１４は、１つまたは複数のパターニング、マスキング、および／またはエッチングステップとともに、たとえば、反射層（アルミニウム、アルミニウム合金、または他の反射層など）堆積を含む１つまたは複数の堆積ステップを採用することによって、形成され得る。可動反射層１４は、電気伝導性であり、電気伝導性層（ｅｌｅｃｔｒｉｃａｌｌｙ  ｃｏｎｄｕｃｔｉｖｅ  ｌａｙｅｒ）と呼ばれることがある。いくつかの実施態様では、可動反射層１４は、図８Ｄに示すように複数の副層１４ａ、１４ｂ、１４ｃを含み得る。いくつかの実施態様では、副層１４ａ、１４ｃなど、副層のうちの１つまたは複数は、それらの光学的特性のために選択された高反射性副層を含み得、別の副層１４ｂは、それの機械的特性のために選択された機械的副層を含み得る。犠牲層２５は、ブロック８８において形成された部分的に作製された干渉変調器中に依然として存在するので、可動反射層１４は、一般にこの段階では可動でない。犠牲層２５を含んでいる部分的に作製されたＩＭＯＤは、本明細書では「非開放」ＩＭＯＤと呼ばれることもある。図１に関して上記で説明したように、可動反射層１４は、ディスプレイの列を形成する個々の平行ストリップにパターニングされ得る。
【００６７】
プロセス８０はブロック９０において続き、図１、図６および図８Ｅに示すキャビティ１９などのキャビティの形成を伴う。キャビティ１９は、（ブロック８４において堆積された）犠牲材料２５をエッチャントにさらすことによって形成され得る。たとえば、Ｍｏまたはａ−Ｓｉなどのエッチング可能犠牲材料が、ドライ化学エッチングによって、所望の量の材料を除去するのに有効である期間の間、固体ＸｅＦ２から派生した蒸気などの気体または蒸気エッチャントに犠牲層２５をさらすことによって、除去され得る。犠牲材料は、一般に、キャビティ１９を囲む構造に対して選択的に除去される。ウェットエッチングおよび／またはプラズマエッチングなどの他のエッチング方法も使用され得る。犠牲層２５がブロック９０中に除去されるので、可動反射層１４は、一般に、この段階後に可動となる。犠牲材料２５の除去後に、得られた完全にまたは部分的に作製されたＩＭＯＤは、本明細書では「開放」ＩＭＯＤと呼ばれることがある。
【００６８】
図９Ａ〜図９Ｅは、アナログＩＭＯＤ（ＡＩＭＯＤ）が、いかにして異なる色を作成するように構成され得るかの例を示す。双安定ＩＭＯＤデバイスの場合と同様に、ＡＩＭＯＤにおいて、ピクセルの反射色は、吸収体スタックとミラースタックとの間を離隔するギャップを変えることによって変更され得る。しかしながら、双安定ＩＭＯＤデバイスとは違って、ＡＩＭＯＤは、緩和状態および作動状態の２つだけの状態より多い状態を有し得る。むしろ、ＡＩＭＯＤは、３以上の状態、５以上の状態、８以上または１６以上の状態など、多数の状態を有し得る。たとえば、ＡＩＭＯＤは、白、黒および６つの他の色の、８つの状態を有し得る。それほど多くの状態においてＡＩＭＯＤを制御するために、１つまたは複数のスイッチ（薄膜トランジスタなど）を含む制御回路が、各ＡＩＭＯＤを個別にアドレス指定するように設けられ、吸収体スタックとミラースタックとが特定の距離に変位されるように、ＡＩＭＯＤの可動電極と固定電極との間に適切な電圧差を与えることができる。図９Ａ〜図９Ｅにおいて、ＡＩＭＯＤ９００は、ミラースタック９０５と吸収体スタック９１０とを含む。この実施態様では、ミラースタック９０５は、少なくとも１つの反射層を含み、吸収体スタック９１０に対して５つの位置において示される。しかしながら、様々な実施態様では、ＡＩＭＯＤ９００は、ミラースタック９０５に対して５つの位置より実質的に多い位置の間で可動であり得る。いくつかのそのような実施態様では、ミラースタック９０５と吸収体スタック９１０との間のギャップ９３０のサイズは、実質的に連続的に変更され得る。いくつかのそのようなＡＩＭＯＤ９００において、ギャップ９３０のサイズは、高レベルの精度、たとえば１０ｎｍ以下の誤差で制御され得る。吸収体スタック９１０はこの例では単一の吸収体層を含むが、吸収体スタック９１０の代替実施態様は複数の吸収体層を含み得る。
【００６９】
波長λを有する入射波は、ミラースタック９０５からのそれ自体の反射と干渉して、局所的ピークおよびヌルを有する定在波を発生することになる。第１のヌルはミラーからλ／２にあり、次のヌルはλ／２の間をあけて位置する。その波長に対して、ヌル位置のうちの１つに設置された薄い吸収体層は、非常に小さいエネルギーを吸収することになる。したがって、その波長に対応する色が送信される一方で、より大きいエネルギーを有する波長に対応する色が、部分的にまたは大幅に吸収されることになる。
【００７０】
最初に図９Ａを参照すると、ギャップ９３０が赤色９２５の半波長に実質的に等しいとき、吸収体スタック９１０は、赤の定在波干渉パターンのヌルにおいて配置される。光は、吸収体スタック９１０によって部分的に反射され、部分的に伝達される。ギャップ９３０のサイズに等しい深さを有する光キャビティが、吸収体スタック９１０とミラースタック９０５との間に形成される。それゆえ、赤色９２５に実質的に対応する波長を有する光が、吸収体スタック９１０から反射された赤色光とミラースタック９０５から反射された赤色光との間の強め合う干渉によって効率的に反射される（吸収されない）。青色９１５および緑色９２０を含む他の色の光は、強め合う干渉によって強化されない。代わりに、そのような光は、吸収体スタック９１０によって実質的に吸収される。
【００７１】
図９Ｂは、ミラースタック９０５が吸収体スタック９１０により近く移動された構成（逆もまた同様）におけるＡＩＭＯＤ９００を示す。この例では、ギャップ９３０は、緑色９２０の半波長に実質的に等しい。緑色９２０に実質的に対応する波長を有する光が、吸収体スタック９１０から反射された緑色光とミラースタック９０５から反射された緑色光との間の強め合う干渉によって効率的に反射される（吸収されない）。赤色９２５および青色９１５を含む他の色の光は、吸収体スタック９１０によって実質的に吸収される。
【００７２】
図９Ｃにおいて、ギャップ９３０が青色９１５の半波長に実質的に等しくなるように、ミラースタック９０５が吸収体スタック９１０により近く移動される（逆もまた同様）。青色９１５に実質的に対応する波長を有する光が、強め合う干渉により効率的に反射される（吸収されない）。赤色９２５および緑色９２０を含む他の色の光は、吸収体スタック９１０によって実質的に吸収される。
【００７３】
しかしながら、図９Ｄにおいて、ＡＩＭＯＤ９００は、ギャップ９３０が可視域内の平均色の波長の１／４に実質的に等しい構成にある。そのような配列では、吸収体は、波長の範囲に対する干渉定在波の強度ピークの近くに（または、十分な光強度（ｏｐｔｉｃａｌ  ｐｏｗｅｒ）が存在する場所に）位置し、高電界強度による強い吸収が、比較的少量の可視光をＡＩＭＯＤ９００から反射させる。この構成は、本明細書では「黒状態」と呼ばれることがある。いくつかのそのような実施態様では、ギャップ９３０は、可視域の外にある他の波長を強化するために、図９Ｄに示すものより大きくされても小さくされてもよい。したがって、図９Ｄに示すＡＩＭＯＤ９００の構成は、単に、ＡＩＭＯＤ９００の黒状態構成の一例を提供するものである。
【００７４】
図９Ｅは、吸収体スタック９１０がミラースタック９０５に実質的に隣接する構成におけるＡＩＭＯＤ９００を示す。この例では、ギャップ９３０は無視できる。広範囲の波長を有する光は、吸収体スタック９１０によって大幅に吸収されることなく、ミラースタック９０５から効率的に反射される。この構成は、本明細書では「白状態」と呼ばれることがある。
【００７５】
上記で説明したように、アナログＩＭＯＤデバイスを含むアナログＥＭＳディスプレイデバイスでは、光学ギャップは、所望の色で光を反射するように連続的に調整可能であり得る。たとえば、アナログＥＭＳディスプレイデバイスの可動反射層ならびに固定の部分反射部分吸収層によって形成された光学ギャップ、エアギャップまたはキャビティの厚さまたは高さが、デバイスによって反射される光の波長および色を変えるために変更され得る。
【００７６】
いくつかのＥＭＳディスプレイデバイスが反射する光の色もまた、ＥＭＳディスプレイデバイスの照明角に依存することがある。たとえば、ＥＭＳディスプレイデバイスは、直接照明によって照明されることがある。直接照明は、光源とＥＭＳディスプレイデバイスとの間の任意の表面に光が反射することなく、ＥＭＳディスプレイデバイス上に入射する、光源からの光である。
【００７７】
ＥＭＳディスプレイデバイスはディスプレイアセンブリ内に含まれ得、ＥＭＳディスプレイデバイスの吸収層および反射層は、ディスプレイアセンブリの表面に実質的に平行な平面内に配置される。ディスプレイアセンブリに含まれるＥＭＳディスプレイデバイスに対する照明角は、ＥＭＳディスプレイデバイスの表面およびディスプレイアセンブリの表面に直交するまたは垂直な線に対する入射光の角度である。照明角が増加すると、ＥＭＳディスプレイデバイスによって反射された光は、より短い波長にシフトされ得る。これはブルーシフトとして知られており、反射された光は、ユーザによって、生成または表示されるように意図された所望の色として知覚されない。
【００７８】
光学ギャップを調整することによって連続的に反射された色を変えることができないデジタルＩＭＯＤを含むディスプレイ内で、そのようなブルーシフトを補償することは困難であることがある。しかしながら、アナログＩＭＯＤを含むアナログＥＭＳディスプレイに対して、光学ギャップは調整され得る。それゆえ、ブルーシフトは、調整の量が知られている場合は補償され得る。以下の説明では、言及されるディスプレイデバイスまたはディスプレイアセンブリは、アナログＩＭＯＤのディスプレイデバイスまたはディスプレイアセンブリである。
【００７９】
図１０Ａは、ディスプレイアセンブリの照明角を示す図の一例を示す。図１０Ａに示すように、ディスプレイアセンブリ１００５の表面は、その表面に直交する線１０１０を有する。直接照明源が、ディスプレイアセンブリ１００５の表面に入射する光１０１５を照らしているとき、照明角は角度１０２０である。すなわち、ディスプレイアセンブリ１００５に対して、照明角は、ディスプレイアセンブリ１００５に直交する線１０１０に対して光１０１５がディスプレイアセンブリ１００５に入射する角度１０２０と見なされ得る。
【００８０】
いくつかの実施態様では、直接照明源は、ディスプレイアセンブリ１００５から無限大の距離に位置する照明源であると見なされ得る。たとえば、晴れた雲のない日の太陽は、直接照明源と見なされ得る。照明角に対して、たとえば、太陽が地球の表面の一点において真上にあるとき、照明角はゼロである。たとえば、日の出および日の入りにおいて、地球の表面の一点における照明角は９０度である。
【００８１】
照明角によるＥＭＳディスプレイデバイスのブルーシフトは、
【００８２】
λ’（θ）＝λｃｏｓθ
【００８３】
として表され得、ここでλは、垂直照明（すなわち、ＥＭＳディスプレイデバイスに垂直な照明であり、照明角は０である）においてＥＭＳディスプレイデバイスによって反射される波長であり、θは照明角であり、λ’（θ）はユーザによって視認されるブルーシフトされた反射された波長である。照明角θが０であるとき、ｃｏｓθ＝１であり、すなわち、照明角θが０であるとき、ブルーシフトは存在しない。
【００８４】
ＥＭＳディスプレイデバイスの反射スペクトル（パワー対波長）は、そのピーク波長λｐｅａｋによって特徴付けられ得、すなわち、λｐｅａｋは、ユーザが０の照明角θで視認する反射された光の波長である。照明角θの変化によって生じることがあるλｐｅａｋにおけるブルーシフトは、上記で説明したのと同じ式で計算され得る。さらに、ＥＭＳディスプレイデバイスへの垂直照明に対するλｐｅａｋは、
【００８５】
λｐｅａｋ＝ｍｄ＝ｍ（ｄｄｉｅ＋ｄａｉｒ）
【００８６】
によって決定され得、ここでｍは整数であり、ｄは、たとえば、ＥＭＳディスプレイデバイスの可動反射層と固定の部分反射部分吸収層との間の光学距離である。いくつかの場合には、ｄは、２つの部分、ｄｄｉｅおよびｄａｉｒに分解され得る。ｄｄｉｅは、たとえば、可動反射層および固定の部分反射部分吸収層上に配設され得る誘電体層の厚さに相当する。ｄａｉｒは、可動反射層および固定の部分反射部分吸収層によって形成された光学ギャップまたはエアギャップの厚さである。ＥＭＳディスプレイデバイスのブルーシフトを補償する光学ギャップまたはエアギャップは、照明角θの測定値によって下式で計算され得る。
【００８７】
【数１】
0006000468.tif 000002
【００８８】
図１０Ｂは、直接照明のもとでＥＭＳディスプレイデバイスのブルーシフトを補償するためのプロセスを示すフロー図の一例を示す。プロセス１０５０のブロック１０５５で、ディスプレイアセンブリに対する照明角が決定される。図１０Ａに関して上記で説明したように、照明角は、ディスプレイアセンブリの表面に直交するまたは垂直な線に対する入射光の角度である。いくつかの実施態様では、ディスプレイアセンブリに対する照明角は、実時間で決定される。「実時間」という用語は、実質的に瞬時にプロセスが実行されるかまたはシステムがイベントもしくは機能を実行するコンピューティングデバイスの電子回路などのプロセスもしくはシステムを示すかまたはそれに関する。たとえば、実時間システムを使用するとき、ユーザは、システムの動作において顕著なまたは知覚可能な遅延を何も経験しない。
【００８９】
いくつかの実施態様では、ディスプレイアセンブリは、複数のＥＭＳディスプレイデバイスの行／列アレイなど、ＥＭＳディスプレイデバイスのアレイを含み得る。いくつかの実施態様では、ディスプレイアセンブリはデバイスの一部であり得、やはりデバイスの一部であるカメラデバイスは照明角を決定するために使用され得る信号を与え得る。たとえば、カメラデバイスは、いくつかのスマートフォンに含まれる前向きのカメラであってよく、カメラデバイスは、ディスプレイアセンブリと実質的に同じ平面内に位置するか、またはディスプレイアセンブリの平面に実質的に平行な平面内に位置する。いくつかの他の実施態様では、センサがディスプレイアセンブリと関連付けられてよく、センサは、照明角を決定するために使用され得る信号を与え得る。センサはまた、ディスプレイアセンブリと実質的に同じ平面内に位置してよく、またはディスプレイアセンブリの平面に実質的に平行な平面内に位置してもよい。センサの例を、図１３および図１４に関して以下でさらに説明する。
【００９０】
ブロック１０６０で、ディスプレイアセンブリの第１のＥＭＳディスプレイデバイス内の光学ギャップが、決定された照明角に少なくとも部分的に基づいて設定される。いくつかの実施態様では、ディスプレイアセンブリの第１のＥＭＳディスプレイデバイス内の光学ギャップが、決定された照明角に少なくとも部分的に基づいて実時間で設定される。たとえば、第１のＥＭＳディスプレイデバイス内の光学ギャップは、デバイスが特定の色を反射するように設定されるように命令され得る。しかしながら、照明角によって生じたブルーシフトによって、ＥＭＳディスプレイデバイスによって反射された色は、反射されるように意図された所望の色ではないことがある。たとえば、第１のＥＭＳディスプレイデバイス内の光学ギャップは、ＥＭＳディスプレイデバイスが赤色光を反射するように設定されるように命令され得る。しかしながら、ブルーシフトによって、ＥＭＳディスプレイデバイスは、赤色光を反射するのではなく橙色光を反射することがある。決定された照明角に少なくとも部分的に基づいて第１のＥＭＳディスプレイデバイス内の光学ギャップを設定するステップが、照明角によるＥＭＳディスプレイデバイスから反射された光の波長の変化を補償し、ＥＭＳディスプレイデバイスに所望の特定の色を反射させることができる。
【００９１】
いくつかの実施態様では、ディスプレイアセンブリのＥＭＳディスプレイデバイスのアレイ内のＥＭＳディスプレイデバイスの、すべてのまたは実質的にすべての光学ギャップが、決定された照明角に少なくとも部分的に基づいて設定され得る。しかしながら、異なるＥＭＳディスプレイデバイスの光学ギャップが異なる色を表示するように設定され得、異なるＥＭＳディスプレイデバイスの光学ギャップが、上記で説明した式に従って、生成されるべき色に応じて調整され得ることに留意されたい。
【００９２】
いくつかの実施態様では、ＥＭＳディスプレイデバイスのアレイを含むディスプレイアセンブリは、約３０ヘルツ（Ｈｚ）〜２４０Ｈｚのリフレッシュレートを有し得る。リフレッシュレートは、たとえば、ディスプレイハードウェアが、１秒間に、表示されるべき画像をディスプレイアセンブリ上に描く回数である。高リフレッシュレートは、たとえば、モーションブラー効果が存在することなくディスプレイアセンブリ上に動画を生成するのに有用であり得る。照明角の変化によるＥＭＳディスプレイデバイスの光学ギャップの調整は、しかしながら、ユーザがディスプレイ上の画像を閲覧しているときの照明角の変化はあまり速くはないので、リフレッシュレートと同じレートで実行される必要はない。たとえば、ユーザがディスプレイアセンブリ上に表示されるテキストを読んでいる場合、ユーザは、テキストを読むことができるように、ディスプレイアセンブリを含むデバイスを比較的固定した状態に保持し得る。ディスプレイアセンブリを含むデバイスが比較的固定した状態に保持されることで、照明角の変化は高い周波数で発生することはない。いくつかの実施態様では、ブロック１０５５および１０６０の動作は、少なくとも約１Ｈｚの周波数で繰り返され得る。
【００９３】
いくつかの実施態様では、ＥＭＳディスプレイデバイスの前面に配設された拡散器の追加によって、ＥＭＳディスプレイデバイスを含むディスプレイアセンブリから鏡面反射された光の方向から約５度〜１０度逸脱するユーザの視認角が、ディスプレイアセンブリが直接照明で照明されているときに仮定され得る。鏡面反射は、表面（たとえば、ミラー）からのミラーのような反射であり、単一の入射方向からの光が単一の出射方向に反射される。ディスプレイアセンブリから鏡面反射された光の方向から約５度〜１０度逸脱する視認角は、ディスプレイアセンブリのたとえばカバーガラスからの鏡面反射を回避し、同じくディスプレイアセンブリのＥＭＳディスプレイデバイスの良好な彩度を得ることができる。
【００９４】
いくつかの他の実施態様では、視認角がディスプレイアセンブリから鏡面反射された光の方向から約５度〜１０度逸脱するという仮定がなされないとき、視認角が同様に決定され得る。次に、ディスプレイアセンブリの第１のＥＭＳディスプレイデバイス内の光学ギャップが、照明角と視認角の両方に少なくとも部分的に基づいて設定され得る。ＥＭＳディスプレイデバイスの視認角および視認角を決定するプロセスを、図１１および図１２に関して以下でさらに説明する。
【００９５】
いくつかの実施態様では、ブロック１０５５および１０６０における動作が繰り返されるとき、照明角を示す信号が、照明角における高い周波数の変化を除去するためにフィルタリングされ得る。たとえば、低周波信号を通すが遮断周波数より高い周波数の信号を減衰させるローパス電子フィルタが、照明角を含む信号をフィルタリングするために使用され得る。ローパス電子フィルタの例には、約１Ｈｚ〜１０Ｈｚの遮断周波数を有し得る１次フィルタまたは２次フィルタが含まれる。照明角におけるそのような高い周波数の変化は、たとえば、ユーザの手がディスプレイアセンブリを含むデバイスを保持しているときに震えることに起因することがあり、照明角は平均すると一定のままであるので、照明角における高い周波数の変化は、照明角信号から除去されてよく、照明角における小さい、高い周波数の変化に対して調整する必要はない。
【００９６】
いくつかの実施態様では、２つ以上の直接照明源が存在するとき、照明角の加重平均（すなわち、それぞれ個別の直接照明源の明るさによって加重される）が決定され得る。この加重平均は、次に、ディスプレイアセンブリの照明角として使用され得る。たとえば、多くの直接照明源が存在する一例は、スタジアムの光で照明されている夜間のフットボール競技場である。
【００９７】
しかしながら、いくつかの例では、光源は直接照明をもたらさず、ディスプレイアセンブリの照明は拡散照明によることがある。拡散照明は、ディスプレイアセンブリが多くの方向から照明されるライティングである。たとえば、多くの照明源を、室の壁および室内の他の表面に反射する照明源からの光とともに有する室内のライティングは、拡散照明と見なされ得る。拡散照明の別の例は、太陽からの直接光が存在しない曇りの日の戸外のライティングである。拡散照明の場合、照明角を決定することはできない。
【００９８】
いくつかの実施態様では、拡散照明によって、照明角は決定されず、代わりに視認角が決定される。図１１は、ディスプレイアセンブリの視認角を示す図の一例を示す。図１１に示すように、ディスプレイアセンブリ１００５の表面は、その表面に直交する線１０１０を有する。ユーザ１１０５が経路１１１５に沿ってディスプレイアセンブリ１００５の表面を見ているとき、視認角は角度１１２０である。すなわち、視認角は、ディスプレイアセンブリ１００５に直交する線１０１０とユーザ１１０５との間の角度１１２０と見なされ得る。
【００９９】
拡散照明が存在してディスプレイに入射するとき、ユーザ１１０５がディスプレイアセンブリ１００５に対して有する視認角１１２０は、直接照明に対する照明角と同様の効果を有し得る。たとえば、いくつかのＥＭＳディスプレイデバイスが反射する光の色は、視認角に左右されることがある。視認角が増加すると、反射された光は、より短い波長にシフトされ得る。これもまたブルーシフトとして知られており、反射された光は、反射されるように意図された所望の色でないことがある。視認角に起因するＥＭＳディスプレイデバイスのブルーシフトは、上記で説明したのと同じ式で表現され得、θは、照明角ではなく視認角である。
【０１００】
図１２は、拡散照明のもとでＥＭＳディスプレイデバイスのブルーシフトを補償するためのプロセスを示すフロー図の一例を示す。プロセス１２００のブロック１２０５で、ディスプレイアセンブリに対する視認角が決定される。図１１に関して上記で説明したように、視認角は、ディスプレイアセンブリの表面に直交するかまたは垂直な線と、ユーザの目とディスプレイアセンブリの表面との間の経路を画定する線との間の角度と見なされ得る。いくつかの実施態様では、ディスプレイアセンブリに対する視認角は、実時間で決定される。いくつかの実施態様では、ディスプレイアセンブリは、ＥＭＳディスプレイデバイスのアレイを含み得る。
【０１０１】
たとえば、いくつかの実施態様では、ディスプレイアセンブリはデバイスの一部であり得、やはりデバイスの一部であるカメラデバイスは照明角を決定するために使用され得る信号を与え得る。たとえば、カメラデバイスは、いくつかのスマートフォンに含まれる前向きのカメラであってよく、カメラデバイスは、ディスプレイアセンブリと実質的に同じ平面内に位置するか、またはディスプレイアセンブリの平面に実質的に平行な平面内に位置する。カメラデバイスはユーザの顔の画像をキャプチャし得、ユーザの目など、画像中の画像特徴を使用して、視認角が決定され得る。たとえば、参照により本明細書に組み込まれている、Ｍｅｙｅｒ，  Ａ．、Ｂｏｈｍｅ，  Ｍ．、Ｍａｒｔｉｎｅｔｚ，  Ｔ．、およびＢａｒｔｈ，  Ｅ．の（２００６年）「Ａ  ｓｉｎｇｌｅ−ｃａｍｅｒａ  ｒｅｍｏｔｅ  ｅｙｅ  ｔｒａｃｋｅｒ」、知覚および対話型技術（Ｐｅｒｃｅｐｔｉｏｎ  ａｎｄ  Ｉｎｔｅｒａｃｔｉｖｅ  Ｔｅｃｈｎｏｌｏｇｉｅｓ）、人工知能における講義ノートの第４０２１巻、シュプリンガー（Ｖｏｌｕｍｅ  ４０２１  ｏｆ  Ｌｅｃｔｕｒｅ  Ｎｏｔｅｓ  ｉｎ  Ａｒｔｉｆｉｃｉａｌ  Ｉｎｔｅｌｌｉｇｅｎｃｅ，  Ｓｐｒｉｎｇｅｒ）、２０８〜２１１頁（「Ｍｅｙｅｒ」）における、遠隔視線追跡のために単一のカメラを使用する、Ｍｅｙｅｒ，  Ａ．、Ｂｏｈｍｅらによって報告された方法を参照されたい。
【０１０２】
Ｍｅｙｅｒに記載されているように、「遠隔」視線追跡システムは、閲覧者に搭載されるべき機器を必要としない。Ｍｅｙｅｒに記載されている単一カメラシステムの一例は、単一のカメラと、カメラの両側に搭載された２つの赤外光源と、光源およびカメラの上に位置するディスプレイとを含む。この例では、カメラは１２８０×１０２４ピクセルの解像度を有し、光源は、顔を照明してユーザの角膜の表面で角膜反射を生成するように構成された赤外ＬＥＤである。
【０１０３】
Ｍｅｙｅｒのシステムは、２つの主要構成要素を含む視線追跡ソフトウェアを含む。第１の構成要素は、画像から瞳孔位置と角膜反射とを判定するために使用される画像処理アルゴリズムを有する。第２の構成要素は、ユーザが見ているかまたは「見つめて」いる表示の部分を推定する凝視推定アルゴリズムである。
【０１０４】
第１のソフトウェア構成要素は、参照により本明細書に組み込まれている、Ｌｉ，  Ｄ．、Ｗｉｎｆｉｅｌｄ，  Ｄ．、Ｐａｒｋｈｕｒｓｔ，  Ｄ．Ｊ．の「Ｓｔａｒｂｕｒｓｔ：  Ａ  ｈｙｂｒｉｄ  ａｌｇｏｒｉｔｈｍ  ｆｏｒ  ｖｉｄｅｏ−ｂａｓｅｄ  ｅｙｅ  ｔｒａｃｋｉｎｇ  ｃｏｍｂｉｎｉｎｇ  ｆｅａｔｕｒｅ−ｂａｓｅｄ  ａｎｄ  ｍｏｄｅｌ−ｂａｓｅｄ  ａｐｐｒｏａｃｈｅｓ」（ＩＥＥＥのＣＶＰＲ（２００５）における人間とコンピュータの相互作用に対するビジョン研究会（Ｖｉｓｉｏｎ  ｆｏｒ  Ｈｕｍａｎ−Ｃｏｍｐｕｔｅｒ  Ｉｎｔｅｒａｃｔｉｏｎ  Ｗｏｒｋｓｈｏｐ）の予稿集、１〜８頁）に記載されている星形アルゴリズム（Ｓｔａｒｂｕｒｓｔ  ａｌｇｏｒｉｔｈｍ）に基づき得る。このアルゴリズムのオープンソース実施態様は、「ｏｐｅｎＥｙｅｓ」という名前で利用可能である。第１のソフトウェア構成要素は、ガウス差分を適用して極大値を探索することによって角膜反射の位置を決定し得る。近似的瞳孔中心は、角膜反射の近傍にある最も暗いピクセルであるものとして決定され得る。一次輪郭点（ｐｒｉｍａｒｙ  ｃｏｎｔｏｕｒ  ｐｏｉｎｔ）が、瞳孔の中心から放射する光線上で確認され得る。二次輪郭点が、一次輪郭点から放射する二次光線上で確認され得る。楕円が、一次および二次の輪郭点にフィッティングされ得る。
【０１０５】
Ｍｅｙｅｒに記載される例では、第２のソフトウェア構成要素（凝視推定アルゴリズム）は、目の物理モデルに基づく。このモデルは、角膜の表面と、瞳孔中心と、目の光軸と凝視の方向との間の角度オフセットとを近似し得る。
【０１０６】
角膜の表面は、曲率中心ＣＣとｒｃｏｒｎｅａの曲率半径とを有する球面としてモデル化され得る。角膜反射は角膜表面における赤外ＬＥＤの反射によって生成されるので、また角膜を通して観察される瞳孔の画像は角膜表面における反射によってゆがめられることがあるので、角膜表面は視線追跡にとって重要である。
【０１０７】
このモデルでは、瞳孔は完全な円であると仮定される。瞳孔中心ＰＣは、角膜の曲率中心ＣＣから距離ｒｐｃにあると仮定される。
【０１０８】
目の光軸と凝視の方向との間の角度オフセットは、αｆｏｖｅａと呼ばれる。このオフセットは、中心窩（網膜の黄斑領域の中心に位置する）が光軸上にあるのではなく、時間的に少し上向きにオフセットしているという事実によって生じる。
【０１０９】
カメラに対する目の位置と配向とを仮定すれば、目のモデルは、瞳孔および角膜反射がカメラ画像内で観測されるべき場所を予測し得る。代替として、凝視の方向は、瞳孔および角膜反射の位置から決定され得る。特定のユーザに対するモデルパラメータの値は、一連の較正点を見つめるようにユーザにプロンプトして観測値を最も良く表明するパラメータ値のセットを見出すことによって決定され得る。
【０１１０】
代替として、視認角は測定されず、たとえば、挙動研究に基づいて仮定されることがある。様々な視認角が記憶され、いくつかの使用モデル情報に基づいて表示を（たとえば、ＩＭＯＤの光学ギャップを調整することによって）調整するために使用され得る。たとえば、ディスプレイデバイスユーザの研究に基づいて、直接照明の中で、人々はしばしば、ディスプレイを一定の配向に保持し、したがって視認角は直接照明の中で第１の値であると仮定され得ることが知られている。同様に、研究は、間接照明または拡散照明の中で、人々はしばしば、ディスプレイを異なる配向に保持し、したがって視認角は間接照明または拡散照明の環境の中で第２の値であると仮定され得ることを示し得る。第１の視認角値および第２の視認角値は、異なる値であり得る。他の変数が、直接的または間接的に視認角を測定することなく、視認角を決定するために使用され得る。
【０１１１】
ブロック１２１０で、ディスプレイアセンブリの第１のＥＭＳディスプレイデバイス内の光学ギャップが、視認角に少なくとも部分的に基づいて設定される。いくつかの実施態様では、ディスプレイアセンブリの第１のＥＭＳディスプレイデバイス内の光学ギャップが、視認角に少なくとも部分的に基づいて実時間で設定される。たとえば、第１のＥＭＳディスプレイデバイス内の光学ギャップは、デバイスが特定の色を反射するように設定されるように命令され得る。しかしながら、視認角によって生じたブルーシフトによって、ＥＭＳディスプレイデバイスによって反射された色は、反射されるように意図された所望の色ではないことがある。視認角に少なくとも部分的に基づいて第１のＥＭＳディスプレイデバイス内の光学ギャップを設定するステップは、視認角によるＥＭＳディスプレイデバイスから反射された光の波長の変化を補償し得る。いくつかの実施態様では、ディスプレイアセンブリのＥＭＳディスプレイデバイスのアレイ内のＥＭＳディスプレイデバイスの、すべてのまたは実質的にすべての光学ギャップが、視認角に少なくとも部分的に基づいて設定され得る。
【０１１２】
図１０に関して上記で説明した照明角実施態様と同様に、いくつかの実施態様では、ＥＭＳディスプレイデバイスのアレイを含むディスプレイアセンブリは、約３０ヘルツ（Ｈｚ）〜２４０Ｈｚのリフレッシュレートを有し得る。ＥＭＳディスプレイデバイスの光学ギャップの調整は、しかしながら、ユーザがディスプレイ上の画像を閲覧しているときの視認角の変化はあまり速くはないので、リフレッシュレートと同じレートで実行される必要はない。いくつかの実施態様では、ブロック１２０５および１２１０の動作は、少なくとも約１Ｈｚの周波数で繰り返され得る。
【０１１３】
同じく、図１０に関して上記で説明した照明角実施態様と同様に、いくつかの実施態様では、ブロック１２０５および１２１０における動作が繰り返されるとき、視認角を示す信号は、視認角における高い周波数の変化を除去するためにフィルタリングされ得る。たとえば、低周波信号を通すが遮断周波数より高い周波数の信号を減衰させるローパス電子フィルタが、視認角を含む信号をフィルタリングするために使用され得る。そのようなローパス電子フィルタには、約１Ｈｚ〜１０Ｈｚの遮断周波数を有し得る１次フィルタまたは２次フィルタが含まれる。
【０１１４】
いくつかの実施態様では、照明角と視認角の一方または両方が決定され得る。さらに、図１０に関して上述したように、いくつかの実施態様では、ディスプレイアセンブリが直接照明で照明されるとき、視認角に対する値の仮定がなされず、視認角が決定されることがある。いくつかの実施態様では、センサからの信号が照明角を決定するために使用され、カメラデバイスからの信号が視認角を決定するために使用されることがある。いくつかの他の実施態様では、単一のカメラデバイスからの信号が、照明角と視認角の両方を決定するために使用されることがある。ディスプレイアセンブリの第１のＥＭＳディスプレイデバイス内の光学ギャップが、照明角と視認角の両方に少なくとも部分的に基づいて設定され得る。いくつかの実施態様では、直接照明が拡散照明より約４倍〜１０倍明るいとき、直接照明の明るさに起因して拡散照明は斟酌されず、直接照明がディスプレイアセンブリのための主たる照明源となる。
【０１１５】
いくつかの実施態様では、図１０および図１２に関して説明したプロセス、ならびにそれらの組合せは、割り込みベースのシステムによって実装され得る。たとえば、図１０Ｂのプロセス１０５０によって、照明角がモニタされ得る。照明角が実質的に一定であるとき、ブルーシフトを補償するためにＥＭＳディスプレイデバイス内の光学ギャップを調整するために新しい計算が実行されることはない。しかしながら、照明角が特定の量だけ変わるとき、ブルーシフトを補償するためにＥＭＳディスプレイデバイス内の光学ギャップを調整するために、新しい計算が実行され得る。同様に、図１２のプロセス１２００によって、視認角がモニタされ得る。視認角が実質的に一定であるとき、ブルーシフトを補償するためにＥＭＳディスプレイデバイス内の光学ギャップを調整するために新しい計算が実行されることはない。しかしながら、視認角が特定の量だけ変わるとき、ブルーシフトを補償するためにＥＭＳディスプレイデバイス内の光学ギャップを調整するために、新しい計算が実行され得る。
【０１１６】
図１３は、照明角を測定するように構成されたディスプレイアセンブリとセンサとを含む装置のブロック図の一例を示す。図１３に示す装置１３００は、ディスプレイアセンブリ１３０２と、センサ１３０４と、プロセッサ１３０６と、カメラデバイス１３０８とを含む。装置１３００は、たとえば、スマートフォン、セルラー電話もしくはモバイル電話、電子ブック、またはタブレットコンピュータとすることができる。ディスプレイアセンブリ１３０２は、ＥＭＳディスプレイデバイスのアレイを含み得る。
【０１１７】
いくつかの実施態様では、センサ１３０４は、レンズと複数のフォトセンサとを含み得る。いくつかの実施態様では、複数のフォトセンサは、２×２アレイフォーマットに配列された少なくとも４つのフォトセンサを含み得る。いくつかの実施態様では、複数のフォトセンサはフォトセンサのアレイとして配列され得、フォトセンサのアレイは電荷結合デバイス（ＣＣＤ）アレイまたは相補型金属酸化膜半導体（ＣＭＯＳ）アレイを含む。センサの一実施態様の一例を、図１４Ａおよび図１４Ｂに関して説明する。
【０１１８】
センサ１３０４は、直接照明が存在するとき、ディスプレイアセンブリ１３０２に直交する線に対する照明角を決定するために使用され得る信号を与え得る。いくつかの実施態様では、センサ１３０４は、ディスプレイアセンブリ１３０２と実質的に同じ平面内に位置してよく、またはディスプレイアセンブリ１３０２の平面に実質的に平行な平面内に位置してもよい。
【０１１９】
いくつかの実施態様では、プロセッサ１３０６は、ディスプレイアセンブリ１３０２およびセンサ１３０４と通信するように構成される。プロセッサ１３０６は、センサ１３０４から照明角を示す信号を受信するように構成され得る。プロセッサ１３０６は、信号によって示されるディスプレイアセンブリに直交する線に対する照明角を決定するように構成され得る。決定された照明角を使用して、プロセッサ１３０６は、照明角と、ディスプレイアセンブリ１３０２のＥＭＳディスプレイデバイスから反射された光の波長にもたらされた変化とを補償するために、画像データを処理するように構成され得る。すなわち、プロセッサ１３０６は、図１０Ｂに関して説明したプロセス１０５０と同様のプロセスを実行するように構成され得る。いくつかの実施態様では、プロセッサ１３０６は、図１５Ａおよび図１５Ｂに関して以下で説明するように、プロセッサ２１が実行し得る動作など、さらなる動作を実行するように構成され得る。いくつかの他の実施態様では、図１５Ａおよび図１５Ｂに関して以下で説明するディスプレイデバイス４０はセンサ１３０４とカメラデバイスとを含み、本明細書で説明するプロセスを実行するように構成され得る。いくつかの実施態様では、装置１３００は、低ヘイズ拡散器（たとえば、ディスプレイアセンブリ１３０２を約５０％〜７０％オーバーレイする）を含み得る。
【０１２０】
いくつかの実施態様では、装置１３００はまた、装置１３００の、ディスプレイアセンブリ１３０２およびセンサ１３０４と同じ面上にカメラデバイス１３０８を含み得る。カメラデバイス１３０８は、たとえば、いくつかのスマートフォンに含まれる前向きのカメラのタイプであってよく、カメラデバイス１３０８は、ディスプレイアセンブリ１３０２と実質的に同じ平面内に位置するか、またはディスプレイアセンブリ１３０２の平面に実質的に平行な平面内に位置する。いくつかの実施態様では、カメラデバイス１３０８は、ディスプレイアセンブリに直交する線に対する視認角を決定するために使用され得る信号を与えるように構成され得る。プロセッサ１３０６は、視認角と、視認角によってディスプレイアセンブリ１３０２の第１の電気機械システムディスプレイデバイスから反射された光の波長にもたらされた変化とを補償するために、画像データを処理するようにさらに構成され得る。
【０１２１】
いくつかの他の実施態様では、照明角を決定するためにセンサ１３０４を使用する代わりに、カメラデバイス１３０８が使用され得る。いくつかの実施態様では、しかしながら、センサ１３０４は、カメラデバイスより少ない電力を使用することができる。
【０１２２】
図１４Ａおよび図１４Ｂは、照明角を測定するように構成されたセンサの概略図の例を示す。図１４Ａはセンサ１４００の側面図を示し、図１４Ｂはセンサ１４００の一部であるフォトセンサアレイ１４０５の面を示す。図１４Ａに示すように、センサ１４００は、フォトセンサアレイ１４０５とレンズ１４１０とを含み得る。いくつかの実施態様では、フォトセンサアレイ１４０５は、レンズ１４１０の焦点にあるように配置され得る。
【０１２３】
フォトセンサアレイ１４０５は、複数のフォトセンサを含み得る。たとえば、図１４に示すフォトセンサアレイ１４０５は４つのフォトセンサを含み、それらの各々は、図示の（ｘ、ｙ）平面の１つの象限を占め、したがってフォトセンサアレイ１４０５は「クアッド（ｑｕａｄ）」フォトセンサと呼ばれることがある。たとえば、フォトセンサアレイ１４０５は、３ｍｍ×３ｍｍの活性領域を有する浜松によって作製されたＳ４３４９象限Ｓｉ  ＰＩＮフォトダイオードを含み得る。いくつかの実施態様に対して、より低い電力消費およびより低コストのより小さい活性センサ領域のクアッドＳｉフォトダイオード（ｑｕａｄ  Ｓｉ  ｐｈｏｔｏｄｉｏｄｅ）が望ましい。いくつかの他の実施態様では、フォトセンサアレイ１４０５は、少なくとも約４個のフォトセンサ、または約９個（たとえば、３×３アレイ）〜約１００個（たとえば、１０×１０アレイ）のフォトセンサを含み得る。いくつかの実施態様では、センサ１４００のフォトセンサアレイ１４０５は、ＣＣＤアレイまたはＣＭＯＳアレイを含み得る。たとえば、市販品の低コストＱＶＧＡ解像度ＣＭＯＳイメージャが、この用途に対して十分である。電力消費を低減するために、そのようなイメージャは１Ｈｚで動作され得る。いくつかの実施態様では、センサ１４００は、図１３に示すデバイス１３００のセンサ１３０４として使用され得る。
【０１２４】
いくつかの実施態様では、レンズ１４１０は、単一の素子を含むレンズであってよい。いくつかの実施態様では、レンズ１４１０の直径は、約０．５ミリメートル（ｍｍ）〜２ｍｍ、または約１ｍｍであり得る。レンズ１４１０の焦点距離１４１５は、約０．５ｍｍ〜３ｍｍ、または約１．５ｍｍ〜２ｍｍであり得る。いくつかの実施態様では、フォトセンサ１４０５は、約１ｍｍ×１ｍｍ〜約４ｍｍ×４ｍｍの寸法を有し得る。約０．５ｍｍの直径と約０．５ｍｍ〜２ｍｍの焦点距離とを有するレンズ１４１０と組み合わされたそのようなフォトセンサアレイ１４０５は、約±４５度の照明角を決定することが可能であり得る。いくつかの実施態様では、より大きい照明角が、より短い焦点距離１４１５（たとえば、約０．５ｍｍ〜２ｍｍより短い焦点距離）を有するレンズ１４１０、またはより大きいフォトセンサアレイ１４０５（たとえば、約４ｍｍ×４ｍｍより大きいフォトセンサアレイ）を含むセンサ１４００を用いて決定され得る。
【０１２５】
センサ１４００が動作されるとき、レンズ１４１０は、フォトセンサアレイ１４０５上の焦点１４２５においてθの照明角１４２０を有する光を合焦する。フォトセンサアレイ１４０５に入射する光は電流を生成し得る。この電流から、フォトセンサアレイ１４０５上の光の焦点１４２５の位置のｘ、ｙ座標が決定され得る。たとえば、フォトセンサアレイ１４０５上の光の焦点１４２５の位置のｘ、ｙ座標が、電流に基づいて、フォトセンサアレイ１４０５と関連付けられた参照用テーブルを用いて決定され得る。レンズ１４１０の焦点距離１４１５（ｆ）およびフォトセンサアレイ１４０５上の光の焦点１４２５の位置のｘ、ｙ座標を使用して、照明角１４２０が下式によって決定され得る。
【０１２６】
【数２】
0006000468.tif 000003
【０１２７】
複数の直接照明源が存在するとき、複数の光点がフォトセンサアレイ１４０５上に形成されることがある。フォトセンサアレイ１４０５は、各光点のｘ、ｙ座標ならびに各光点の強度を測定し得る。測定された点の強度は、照明源の明るさ（Ｉ）に比例する。平均照明角が、加重平均を介して計算され得る。
【０１２８】
【数３】
0006000468.tif 000004
【０１２９】
いくつかの実施態様では、センサ１４００は、約０．０１度、約０．１度、または約１度の解像度を有し得る。いくつかの実施態様では、約１度の解像度を有するセンサ１４００が、照明角決定のために好適であり得る。そのような比較的低解像度のセンサ（たとえば、約１度の解像度）は、低価格のフォトセンサアレイおよび／またはレンズの使用を可能にする。
【０１３０】
図１５Ａおよび図１５Ｂは、複数の干渉変調器を含むディスプレイデバイス４０を示すシステムブロック図の例を示す。ディスプレイデバイス４０は、たとえば、スマートフォン、セルラー電話または携帯電話であり得る。ただし、ディスプレイデバイス４０の同じ構成要素またはディスプレイデバイス４０の軽微な変形も、テレビジョン、タブレット、電子リーダー、ハンドヘルドデバイスおよびポータブルメディアプレーヤなど、様々なタイプのディスプレイデバイスを示す。
【０１３１】
ディスプレイデバイス４０は、ハウジング４１と、ディスプレイ３０と、アンテナ４３と、スピーカー４５と、入力デバイス４８と、マイクロフォン４６と、センサ１３０４と、カメラデバイス１３０８とを含む。ハウジング４１は、射出成形および真空成形を含む様々な製造プロセスのうちのいずれかから形成され得る。さらに、ハウジング４１は、限定はしないが、プラスチック、金属、ガラス、ゴム、およびセラミック、またはそれらの組合せを含む、様々な材料のうちのいずれかから製作され得る。ハウジング４１は、異なる色の、または異なるロゴ、ピクチャ、もしくはシンボルを含んでいる、他の取外し可能な部分と交換され得る、取外し可能な部分（図示せず）を含むことができる。
【０１３２】
ディスプレイ３０は、本明細書で説明する、双安定またはアナログディスプレイを含む様々なディスプレイのうちのいずれかであり得る。ディスプレイ３０はまた、プラズマ、ＥＬ、ＯＬＥＤ、ＳＴＮ  ＬＣＤ、またはＴＦＴ  ＬＣＤなど、フラットパネルディスプレイ、あるいはＣＲＴまたは他の管デバイスなど、非フラットパネルディスプレイを含むように構成され得る。さらに、ディスプレイ３０は、本明細書で説明する干渉変調器ディスプレイを含むことができる。
【０１３３】
ディスプレイデバイス４０の構成要素は図１５Ｂに概略的に示されている。ディスプレイデバイス４０は、ハウジング４１を含み、それの中に少なくとも部分的に密閉された追加の構成要素を含むことができる。たとえば、ディスプレイデバイス４０は、トランシーバ４７に結合されたアンテナ４３を含むネットワークインターフェース２７を含む。トランシーバ４７はプロセッサ２１に接続され、プロセッサ２１は調整ハードウェア５２に接続される。調整ハードウェア５２は、信号を調整する（たとえば、信号をフィルタリングする）ように構成され得る。調整ハードウェア５２は、スピーカー４５およびマイクロフォン４６に接続される。プロセッサ２１は、入力デバイス４８およびドライバコントローラ２９にも接続される。ドライバコントローラ２９は、フレームバッファ２８に、およびアレイドライバ２２に結合され、アレイドライバ２２は次にディスプレイアレイ３０に結合される。いくつかの実施態様では、電源５０が、特定のディスプレイデバイス４０設計において実質的にすべての構成要素に電力を与えることができる。
【０１３４】
この例では、ディスプレイデバイス４０はセンサ１３０４とカメラデバイス１３０８とを含み、これらは図１３に関して上記で説明したものと同様であり得る。プロセッサ２１は、センサ１３０４およびカメラデバイス１３０８と通信するように構成され得る。いくつかの実施態様では、プロセッサ２１は、上記で説明したように、照明角および／または視認角を決定するように構成され得る。プロセッサ２１は、センサ１３０４および／またはカメラデバイス１３０８からの入力に基づいてそのような決定を行い得る。いくつかの実施態様では、プロセッサ２１は、決定された照明角および／または視認角を補償するためにディスプレイ３０を制御するように構成され得る。たとえば、プロセッサ２１は、決定された照明角および／または視認角を補償するためにディスプレイ３０の１つまたは複数のＩＭＯＤの吸収体スタックと反射性スタックとの間のギャップを変更するように構成され得る。
【０１３５】
ネットワークインターフェース２７は、ディスプレイデバイス４０がネットワークを介して１つまたは複数のデバイスと通信することができるように、アンテナ４３とトランシーバ４７とを含む。ネットワークインターフェース２７はまた、たとえば、プロセッサ２１のデータ処理要件を軽減するための、何らかの処理能力を有し得る。アンテナ４３は信号を送信および受信することができる。いくつかの実施態様では、アンテナ４３は、ＩＥＥＥ１６．１１（ａ）、（ｂ）、または（ｇ）を含むＩＥＥＥ１６．１１規格、あるいはＩＥＥＥ８０２．１１ａ、ｂ、ｇ、ｎを含むＩＥＥＥ８０２．１１規格、およびそれらのさらなる実施態様に従って、ＲＦ信号を送信および受信する。いくつかの他の実施態様では、アンテナ４３は、ＢＬＵＥＴＯＯＴＨ（登録商標）規格に従ってＲＦ信号を送信および受信する。セルラー電話の場合、アンテナ４３は、３Ｇまたは４Ｇ技術を利用するシステムなどのワイヤレスネットワーク内で通信するために使用される、符号分割多元接続（ＣＤＭＡ）、周波数分割多元接続（ＦＤＭＡ）、時分割多元接続（ＴＤＭＡ）、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ（登録商標））、ＧＳＭ（登録商標）／Ｇｅｎｅｒａｌ  Ｐａｃｋｅｔ  Ｒａｄｉｏ  Ｓｅｒｖｉｃｅ（ＧＰＲＳ）、Ｅｎｈａｎｃｅｄ  Ｄａｔａ  ＧＳＭ（登録商標）  Ｅｎｖｉｒｏｎｍｅｎｔ（ＥＤＧＥ）、Ｔｅｒｒｅｓｔｒｉａｌ  Ｔｒｕｎｋｅｄ  Ｒａｄｉｏ（ＴＥＴＲＡ）、広帯域ＣＤＭＡ（Ｗ−ＣＤＭＡ）、Ｅｖｏｌｕｔｉｏｎ  Ｄａｔａ  Ｏｐｔｉｍｉｚｅｄ（ＥＶ−ＤＯ）、１ｘＥＶ−ＤＯ、ＥＶ−ＤＯ  Ｒｅｖ  Ａ、ＥＶ−ＤＯ  Ｒｅｖ  Ｂ、高速パケットアクセス（ＨＳＰＡ）、高速ダウンリンクパケットアクセス（ＨＳＤＰＡ）、高速アップリンクパケットアクセス（ＨＳＵＰＡ）、発展型高速パケットアクセス（ＨＳＰＡ＋）、Ｌｏｎｇ  Ｔｅｒｍ  Ｅｖｏｌｕｔｉｏｎ（ＬＴＥ）、ＡＭＰＳ、または他の知られている信号を受信するように設計される。トランシーバ４７は、アンテナ４３から受信された信号がプロセッサ２１によって受信され、プロセッサ２１によってさらに操作され得るように、その信号を前処理することができる。トランシーバ４７はまた、プロセッサ２１から受信された信号がアンテナ４３を介してディスプレイデバイス４０から送信され得るように、その信号を処理することができる。
【０１３６】
いくつかの実施態様では、トランシーバ４７は受信機によって置き換えられ得る。さらに、いくつかの実施態様では、ネットワークインターフェース２７は、プロセッサ２１に送られるべき画像データを記憶または生成することができる画像ソースによって置き換えられ得る。プロセッサ２１は、ディスプレイデバイス４０の全体的な動作を制御することができる。プロセッサ２１は、ネットワークインターフェース２７または画像ソースから圧縮された画像データなどのデータを受信し、そのデータを生画像データに、または生画像データに容易に処理されるフォーマットに、処理する。プロセッサ２１は、処理されたデータをドライバコントローラ２９に、または記憶のためにフレームバッファ２８に送ることができる。生データは、一般に、画像内の各ロケーションにおける画像特性を識別する情報を指す。たとえば、そのような画像特性は、色、飽和、およびグレースケールレベルを含むことができる。
【０１３７】
プロセッサ２１は、ディスプレイデバイス４０の動作を制御するためのマイクロコントローラ、ＣＰＵ、または論理ユニットを含むことができる。いくつかの実施態様では、プロセッサ２１は、本明細書で説明する方法のうちの少なくともいくつか、たとえば方法１０５０および／または方法１２００を実行するように構成され得る。調整ハードウェア５２は、スピーカー４５に信号を送信するための、およびマイクロフォン４６から信号を受信するための、増幅器およびフィルタを含み得る。調整ハードウェア５２は、ディスプレイデバイス４０内の個別構成要素であり得、あるいはプロセッサ２１または他の構成要素内に組み込まれ得る。
【０１３８】
ドライバコントローラ２９は、プロセッサ２１によって生成された生画像データをプロセッサ２１から直接、またはフレームバッファ２８から取ることができ、アレイドライバ２２への高速送信のために適宜に生画像データを再フォーマットすることができる。いくつかの実施態様では、ドライバコントローラ２９は、生画像データを、ラスタ様フォーマットを有するデータフローに再フォーマットすることができ、その結果、そのデータフローは、ディスプレイアレイ３０にわたって走査するのに好適な時間順序を有する。次いで、ドライバコントローラ２９は、フォーマットされた情報をアレイドライバ２２に送る。ＬＣＤコントローラなどのドライバコントローラ２９は、しばしば、スタンドアロン集積回路（ＩＣ）としてシステムプロセッサ２１に関連付けられるが、そのようなコントローラは多くの方法で実施され得る。たとえば、コントローラは、ハードウェアとしてプロセッサ２１中に埋め込まれるか、ソフトウェアとしてプロセッサ２１中に埋め込まれるか、またはハードウェアにおいてアレイドライバ２２と完全に一体化され得る。
【０１３９】
いくつかの実施態様では、ドライバコントローラ２９は、決定された照明角および／または視認角を補償するためにディスプレイ３０を制御するように構成され得る。たとえば、プロセッサ２１は、照明角および／または視認角を決定し、対応するデータをドライバコントローラ２９に与えることができる。ドライバコントローラ２９またはプロセッサは、決定された照明角および／または視認角を補償するためにディスプレイ３０の１つまたは複数のＩＭＯＤの吸収体スタックと反射性スタックとの間のギャップ高さを変更するように構成され得る。ドライバコントローラ２９またはプロセッサは、ＩＭＯＤが駆動されることになる電圧を変えることによってギャップ高さを変更し得る。
【０１４０】
アレイドライバ２２は、ドライバコントローラ２９からフォーマットされた情報を受信することができ、ビデオデータを波形の並列セットに再フォーマットすることができ、波形の並列セットは、ディスプレイのピクセルのｘ−ｙ行列から来る、数百の、および時には数千の（またはより多くの）リード線に毎秒何回も適用される。
【０１４１】
いくつかの実施態様では、ドライバコントローラ２９、アレイドライバ２２、およびディスプレイアレイ３０は、本明細書で説明するディスプレイのタイプのうちのいずれにも適している。たとえば、ドライバコントローラ２９は、従来のディスプレイコントローラまたは双安定ディスプレイコントローラ（ＩＭＯＤコントローラなど）であり得る。さらに、アレイドライバ２２は、従来のドライバまたは双安定ディスプレイドライバ（ＩＭＯＤディスプレイドライバなど）であり得る。さらに、ディスプレイアレイ３０は、従来のディスプレイアレイまたは双安定ディスプレイアレイ（ＩＭＯＤのアレイを含むディスプレイなど）とすることができる。いくつかの実施態様では、ドライバコントローラ２９はアレイドライバ２２と一体化することができる。そのような実施態様は、高集積システム、たとえば、モバイルフォン、ポータブル電子デバイス、ウォッチまたは小面積ディスプレイにおいて、有用であることがある。
【０１４２】
いくつかの実施態様では、入力デバイス４８は、たとえば、ユーザがディスプレイデバイス４０の動作を制御できるように構成することができる。入力デバイス４８は、ＱＷＥＲＴＹキーボードまたは電話キーパッドなどのキーパッド、ボタン、スイッチ、ロッカー、タッチセンシティブスクリーン、ディスプレイアレイ３０と一体化されたタッチセンシティブスクリーン、あるいは感圧膜または感熱膜を含むことができる。マイクロフォン４６は、ディスプレイデバイス４０のための入力デバイスとして構成することができる。いくつかの実施態様では、ディスプレイデバイス４０の動作を制御するために、マイクロフォン４６を通してのボイスコマンドを用いることができる。
【０１４３】
電源５０は種々のエネルギー蓄積デバイスを含むことができる。たとえば、電源５０は、ニッケルカドミウムバッテリまたはリチウムイオンバッテリなどの充電式バッテリとすることができる。充電式バッテリを使用する実施態様では、充電式バッテリは、たとえば、壁コンセントあるいは光起電性デバイスまたはアレイから来る電力を使用して充電可能であり得る。代替的には、充電式バッテリはワイヤレス充電可能とすることができる。電源５０はまた、再生可能エネルギー源、キャパシタ、あるいはプラスチック太陽電池または太陽電池塗料を含む太陽電池とすることもできる。電源５０はまた、壁コンセントから電力を受け取るように構成することもできる。
【０１４４】
いくつかの実施態様では、制御プログラマビリティがドライバコントローラ２９中に存在し、これは電子ディスプレイシステム中のいくつかの場所に配置され得る。いくつかの他の実施態様では、制御プログラマビリティがアレイドライバ２２中に存在する。上記で説明した最適化は、任意の数のハードウェアおよび／またはソフトウェア構成要素において、ならびに様々な構成において実施され得る。
【０１４５】
本明細書で開示する実施態様に関して説明した様々な例示的な論理、論理ブロック、モジュール、回路、およびアルゴリズムステップは、電子ハードウェア、コンピュータソフトウェア、または両方の組合せとして実施され得る。ハードウェアとソフトウェアの互換性が、概して機能に関して説明され、上記で説明した様々な例示的な構成要素、ブロック、モジュール、回路およびステップにおいて示された。そのような機能がハードウェアで実施されるか、ソフトウェアで実施されるかは、特定の適用例および全体的なシステムに課された設計制約に依存する。
【０１４６】
本明細書で開示する態様に関して説明した様々な例示的な論理、論理ブロック、モジュール、および回路を実施するために使用される、ハードウェアおよびデータ処理装置は、汎用シングルチップまたはマルチチッププロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実施または実行され得る。汎用プロセッサは、マイクロプロセッサ、あるいは任意の従来のプロセッサ、コントローラ、マイクロコントローラ、または状態機械であり得る。プロセッサは、ＤＳＰとマイクロプロセッサとの組合せ、複数のマイクロプロセッサ、ＤＳＰコアと連携する１つまたは複数のマイクロプロセッサ、あるいは任意の他のそのような構成などのコンピューティングデバイスの組合せとして実施することもできる。いくつかの実施態様では、特定のステップおよび方法が、所与の機能に固有である回路によって実行され得る。
【０１４７】
１つまたは複数の態様では、説明した機能およびプロセスは、本明細書で開示する構造を含むハードウェア、デジタル電子回路、コンピュータソフトウェア、ファームウェア、およびそれらの上記構造の構造的等価物において、またはそれらの任意の組合せにおいて実施され得る。また、本明細書で説明した主題の実施態様は、１つまたは複数のコンピュータプログラムとして、すなわち、データ処理装置が実行するためにコンピュータ記憶媒体上に符号化された、またはデータ処理装置の動作を制御するための、コンピュータプログラム命令の１つまたは複数のモジュールとして、実施され得る。
【０１４８】
ソフトウェアで実施する場合、機能は、１つまたは複数の命令またはコードとしてコンピュータ可読媒体上に記憶するか、あるいはコンピュータ可読媒体を介して送信することができる。本明細書で開示された方法またはアルゴリズムのステップは、コンピュータ可読媒体上に存在し得る、プロセッサ実行可能ソフトウェアモジュールで実施され得る。コンピュータ可読媒体は、ある場所から別の場所にコンピュータプログラムを転送することを可能にされ得る任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または、命令もしくはデータ構造の形態で所望のプログラムコードを記憶するために使用され得、コンピュータによってアクセスされ得る、任意の他の媒体を含み得る。また、いかなる接続もコンピュータ可読媒体と適切に呼ばれ得る。本明細書で使用するディスク（ｄｉｓｋ）およびディスク（ｄｉｓｃ）は、コンパクトディスク（ｄｉｓｃ）（ＣＤ）、レーザディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）およびブルーレイディスク（ｄｉｓｃ）を含み、ディスク（ｄｉｓｋ）は、通常、データを磁気的に再生し、ディスク（ｄｉｓｃ）は、データをレーザで光学的に再生する。上記の組合せもコンピュータ可読媒体の範囲内に含め得る。さらに、方法またはアルゴリズムの動作は、コンピュータプログラム製品に組み込まれ得る、機械可読媒体およびコンピュータ可読媒体上のコードおよび命令の、１つまたは任意の組合せまたはセットとして存在し得る。
【０１４９】
本開示で説明した実施態様への様々な修正は当業者には容易に明らかであり得、本明細書で定義した一般原理は、本開示の趣旨または範囲から逸脱することなく他の実施態様に適用され得る。したがって、特許請求の範囲は、本明細書で示した実施態様に限定されるものではなく、本開示と、本明細書で開示する原理および新規の特徴とに一致する、最も広い範囲を与えられるべきである。「例示的」という単語は、本明細書ではもっぱら「例、事例、または例示の働きをすること」を意味するために使用される。本明細書に「例示的」と記載されたいかなる実施態様も、必ずしも他の可能性または実施態様よりも好ましいまたは有利であると解釈されるべきではない。さらに、「ベース」、「底部」、「上部」、「上側」および「下側」という用語は、図の説明を簡単にするために時々使用され、適切に配向されたページ上の図の配向に対応する相対位置を示すが、実施されたＩＭＯＤの適切な配向を反映しないことがあることを、当業者は容易に諒解されよう。
【０１５０】
また、別個の実施態様に関して本明細書で説明されたいくつかの特徴は、単一の実施態様において組合せで実施され得る。また、逆に、単一の実施態様に関して説明した様々な特徴は、複数の実施態様において別個に、あるいは任意の好適な部分組合せで実施され得る。その上、特徴は、いくつかの組合せで働くものとして上記で説明され、初めにそのように請求されることさえあるが、請求される組合せからの１つまたは複数の特徴は、場合によってはその組合せから削除され得、請求される組合せは、部分組合せ、または部分組合せの変形形態を対象とし得る。
【０１５１】
同様に、動作は特定の順序で図面に示されているが、そのような動作は、望ましい結果を達成するために、示される特定の順序でまたは順番に実行される必要がないこと、またはすべての例示される動作が実行される必要があるとは限らないことは、当業者は容易に認識されよう。さらに、図面は、流れ図の形態でもう１つの例示的なプロセスを概略的に示し得る。ただし、図示されていない他の動作が、概略的に示される例示的なプロセスに組み込まれ得る。たとえば、１つまたは複数の追加の動作が、図示の動作のうちのいずれかの前に、後に、同時に、またはそれの間で、実行され得る。いくつかの状況では、マルチタスキングおよび並列処理が有利であり得る。その上、上記で説明した実施態様における様々なシステム構成要素の分離は、すべての実施態様においてそのような分離を必要とするものとして理解されるべきでなく、説明するプログラム構成要素およびシステムは、概して、単一のソフトウェア製品において互いに一体化されるか、または複数のソフトウェア製品にパッケージングされ得ることを理解されたい。さらに、他の実施態様が以下の特許請求の範囲内に入る。場合によっては、特許請求の範囲に記載の行為は、異なる順序で実行され、依然として望ましい結果を達成することができる。
【符号の説明】
【０１５２】
１２  干渉変調器、ＩＭＯＤ、ピクセル
１３  光
１４  可動反射層
１４ａ  反射副層
１４ｂ  支持層
１４ｃ  伝導性層
１５  光
１６  光学スタック
１６ａ  光吸収体
１６ｂ  誘電体
１８  ポスト
１９  ギャップ、キャビティ
２０  透明基板
２１  プロセッサ
２２  アレイドライバ
２３  ブラックマスク構造
２４  行ドライバ回路
２５  犠牲層
２６  列ドライバ回路
２７  ネットワークインターフェース
２８  フレームバッファ
２９  ドライバコントローラ
３０  ディスプレイアレイ、ディスプレイ
３２  テザー
３４  変形可能層
３５  スペーサ層
４０  ディスプレイデバイス
４１  ハウジング
４３  アンテナ
４５  スピーカー
４６  マイクロフォン
４７  トランシーバ
４８  入力デバイス
５０  電力システム、電源
５２  調整ハードウェア
９００  ＡＩＭＯＤ
９０５  ミラースタック
９１０  吸収体スタック
９１５  青色
９２０  緑色
９２５  赤色
９３０  ギャップ
１００５  ディスプレイアセンブリ
１０１０  線
１０１５  光
１０２０  角度
１１０５  ユーザ
１１１５  経路
１１２０  角度
１３００  装置、デバイス
１３０２  ディスプレイアセンブリ
１３０４  センサ
１３０６  プロセッサ
１３０８  カメラデバイス
１４００  センサ
１４０５  フォトセンサアレイ
１４１０  レンズ
１４１５  焦点距離
１４２０  照明角
１４２５  焦点
【図１】
0006000468.tif 000005
【図２】
0006000468.tif 000006
【図３】
0006000468.tif 000007
【図４】
0006000468.tif 000008
【図５Ａ】
0006000468.tif 000009
【図５Ｂ】
0006000468.tif 000010
【図６Ａ】
0006000468.tif 000011
【図６Ｂ】
0006000468.tif 000012
【図６Ｃ】
0006000468.tif 000013
【図６Ｄ】
0006000468.tif 000014
【図６Ｅ】
0006000468.tif 000015
【図７】
0006000468.tif 000016
【図８Ａ】
0006000468.tif 000017
【図８Ｂ】
0006000468.tif 000018
【図８Ｃ】
0006000468.tif 000019
【図８Ｄ】
0006000468.tif 000020
【図８Ｅ】
0006000468.tif 000021
【図９Ａ】
0006000468.tif 000022
【図９Ｂ】
0006000468.tif 000023
【図９Ｃ】
0006000468.tif 000024
【図９Ｄ】
0006000468.tif 000025
【図９Ｅ】
0006000468.tif 000026
【図１０Ａ】
0006000468.tif 000027
【図１０Ｂ】
0006000468.tif 000028
【図１１】
0006000468.tif 000029
【図１２】
0006000468.tif 000030
【図１３】
0006000468.tif 000031
【図１４Ａ】
0006000468.tif 000032
【図１４Ｂ】
0006000468.tif 000033
【図１５Ａ】
0006000468.tif 000034
【図１５Ｂ】
0006000468.tif 000035